(57)【要約】  本明細書では、ショート制御フレームを通信するためのシステム、方法、およびデバイスが説明されている。いくつかの態様では、ワイヤレス通信の方法は、信号フィールドを有する物理レイヤプリアンブルを備える制御フレームを生成することを含み、信号フィールドは、制御フレームが制御フレームタイプのフレームであることを示すインジケータを含む。本方法は、制御フレームを送信することをさらに含む。【選択図】図１
2015505437.tif 000002
【特許請求の範囲】
【請求項１】
ワイヤレス通信の方法であって、
信号フィールドを有する物理レイヤプリアンブルを備える制御フレームを生成することと、ここで、前記信号フィールドは、前記制御フレームが制御フレームタイプのフレームであることを示すインジケータを含む、
前記フレームを送信することと
を備える、方法。
【請求項２】
前記インジケータは、前記制御フレームが制御フレームタイプのフレームであることを示す、長さフィールドを備える、
請求項１に記載の方法。
【請求項３】
前記長さフィールドに対する０の値は、フレームのタイプが制御フレームタイプであることを示す、
請求項２に記載の方法。
【請求項４】
前記長さフィールドに対する１０未満の値は、フレームのタイプが制御フレームタイプであることを示す、
請求項２に記載の方法。
【請求項５】
前記値が、制御フレームのタイプを示す、
請求項４に記載の方法。
【請求項６】
前記制御フレームの制御情報は、前記信号フィールド内に含まれる、
請求項１に記載の方法。
【請求項７】
前記制御フレームは、本質的に、物理レイヤプリアンブルから成る、
請求項１に記載の方法。
【請求項８】
前記信号フィールドは、前記制御フレームが制御フレームタイプのフレームであることを示す、単一ビットを備える、
請求項１に記載の方法。
【請求項９】
前記制御フレームのフィールドの予約された値は、前記制御フレームが制御フレームタイプのフレームであることを示す、
請求項１に記載の方法。
【請求項１０】
前記制御フレームは、前記制御フレームのタイプを示すタイプフィールドをさらに含む、
請求項１に記載の方法。
【請求項１１】
前記制御フレームは、追加の制御情報を備える制御拡張フィールドをさらに備える、
請求項１に記載の方法。
【請求項１２】
前記制御拡張フィールドは、あらかじめ定義された変調コーディング方式を有する、
請求項１１に記載の方法。
【請求項１３】
前記制御情報は、巡回冗長チェックフィールドと送信電力表示フィールドとを備える、
請求項１に記載の方法。
【請求項１４】
前記制御情報は、前記制御フレームの前記帯域幅のインジケータを備える、
請求項１に記載の方法。
【請求項１５】
前記制御フレームは、肯定応答フレームである、
請求項１に記載の方法。
【請求項１６】
前記制御フレームは、省電力ポーリングフレームである、
請求項１に記載の方法。
【請求項１７】
前記制御フレームは、送信要求フレームである、
請求項１に記載の方法。
【請求項１８】
前記制御フレームは、送信可フレームである、
請求項１に記載の方法。
【請求項１９】
前記制御フレームは、ブロック肯定応答要求フレームおよびブロック肯定応答フレームのうちの少なくとも一方である、
請求項１に記載の方法。
【請求項２０】
前記制御フレームは、コンテンションフリー終了フレームおよびコンテンションフリー終了ポーリングフレームのうちの少なくとも一方である、
請求項１に記載の方法。
【請求項２１】
前記制御フレームは、変調コーディング方式要求フレームおよび変調コーディング方式応答フレームのうちの少なくとも一方である、
請求項１に記載の方法。
【請求項２２】
前記制御フレームは、ヌルデータパケットフレームである、
請求項１に記載の方法。
【請求項２３】
前記制御フレームは、プローブ要求フレームおよびプローブ応答フレームのうちの少なくとも一方である、
請求項１に記載の方法。
【請求項２４】
信号フィールドを有する物理レイヤプリアンブルを備える制御フレームを生成するように構成されたプロセッサと、ここで、前記信号フィールドは、前記制御フレームが制御フレームタイプのフレームであることを示すインジケータを含む
前記制御フレームを送信するように構成された送信機と
を備える、ワイヤレスデバイス。
【請求項２５】
前記インジケータは、前記制御フレームが制御フレームタイプのフレームであることを示す、長さフィールドを備える、
請求項２４に記載のワイヤレスデバイス。
【請求項２６】
前記長さフィールドに対する０の値は、フレームのタイプが制御フレームタイプであることを示す、
請求項２５に記載のワイヤレスデバイス。
【請求項２７】
前記長さフィールドに対する１０未満の値は、フレームのタイプが制御フレームタイプであることを示す、
請求項２５に記載のワイヤレスデバイス。
【請求項２８】
前記値は制御フレームのタイプを示す、
請求項２７に記載のワイヤレスデバイス。
【請求項２９】
前記制御フレームの制御情報は、前記信号フィールド内に含まれる、
請求項２４に記載のワイヤレスデバイス。
【請求項３０】
前記制御フレームは、本質的に、物理レイヤプリアンブルから成る、
請求項２４に記載のワイヤレスデバイス。
【請求項３１】
前記信号フィールドは、前記制御フレームが制御フレームタイプであることを示す、単一ビットを備える、
請求項２４に記載のワイヤレスデバイス。
【請求項３２】
前記制御フレームのフィールドの予約された値は、前記制御フレームが制御フレームタイプであることを示す、
請求項２４に記載のワイヤレスデバイス。
【請求項３３】
前記制御フレームは、前記制御フレームのタイプを示すタイプフィールドをさらに含む、
請求項２４に記載のワイヤレスデバイス。
【請求項３４】
前記制御フレームは、追加の制御情報を備える制御拡張フィールドをさらに備える、
請求項２４に記載のワイヤレスデバイス。
【請求項３５】
前記制御拡張フィールドは、あらかじめ定義された変調コーディング方式を有する、
請求項３４に記載のワイヤレスデバイス。
【請求項３６】
前記制御情報は、巡回冗長チェックフィールドと送信電力表示フィールドとを備える、
請求項２４に記載のワイヤレスデバイス。
【請求項３７】
前記制御情報は、前記制御フレームの前記帯域幅のインジケータを備える、
請求項２４に記載のワイヤレスデバイス。
【請求項３８】
前記制御フレームは肯定応答フレームである、
請求項２４に記載のワイヤレスデバイス。
【請求項３９】
前記制御フレームは省電力ポーリングフレームである、
請求項２４に記載のワイヤレスデバイス。
【請求項４０】
前記制御フレームは、送信要求フレームである、
請求項２４に記載のワイヤレスデバイス。
【請求項４１】
前記制御フレームは、送信可フレームである、
請求項２４に記載のワイヤレスデバイス。
【請求項４２】
前記制御フレームは、ブロック肯定応答要求フレームおよびブロック肯定応答フレームのうちの少なくとも一方である、
請求項２４に記載のワイヤレスデバイス。
【請求項４３】
前記制御フレームは、コンテンションフリー終了フレームおよびコンテンションフリー終了ポーリングフレームのうちの少なくとも一方である、
請求項２４に記載のワイヤレスデバイス。
【請求項４４】
前記制御フレームは、変調コーディング方式要求フレームおよび変調コーディング方式応答フレームのうちの少なくとも一方である、
請求項２４に記載のワイヤレスデバイス。
【請求項４５】
前記制御フレームは、ヌルデータパケットフレームである、
請求項２４に記載のワイヤレスデバイス。
【請求項４６】
前記制御フレームは、プローブ要求フレームおよびプローブ応答フレームのうちの少なくとも一方である、
請求項２４に記載のワイヤレスデバイス。
【請求項４７】
信号フィールドを有する物理レイヤプリアンブルを備える制御フレームを生成するための手段と、ここで、前記信号フィールドは、前記制御フレームが制御フレームタイプのフレームであることを示す、インジケータを含む、
前記制御フレームを送信するための手段と
を備える、ワイヤレスデバイス。
【請求項４８】
前記インジケータは、前記制御フレームが制御フレームタイプのフレームであることを示す、長さフィールドを備える、
請求項４７に記載のワイヤレスデバイス。
【請求項４９】
前記長さフィールドに対する０の値は、フレームのタイプが制御フレームタイプであることを示す、
請求項４８に記載のワイヤレスデバイス。
【請求項５０】
前記長さフィールドに対する１０未満の値は、フレームのタイプが制御フレームタイプであることを示す、
請求項４８に記載のワイヤレスデバイス。
【請求項５１】
前記値は、制御フレームのタイプを示す、
請求項５０に記載のワイヤレスデバイス。
【請求項５２】
前記制御フレームの制御情報は、前記信号フィールド内に含まれる、
請求項４７に記載のワイヤレスデバイス。
【請求項５３】
前記制御フレームは、本質的に、物理レイヤプリアンブルから成る、
請求項４７に記載のワイヤレスデバイス。
【請求項５４】
前記制御フレームは、制御フレームタイプであることを示す単一ビットを前記信号フィールドが備える、
請求項４７に記載のワイヤレスデバイス。
【請求項５５】
前記制御フレームのフィールドの予約された値は、前記制御フレームが制御フレームタイプであることを示す、
請求項４７に記載のワイヤレスデバイス。
【請求項５６】
前記制御フレームは、前記制御フレームのタイプを示すタイプフィールドをさらに含む、
請求項４７に記載のワイヤレスデバイス。
【請求項５７】
前記制御フレームは、追加の制御情報を備える制御拡張フィールドをさらに備える、
請求項４７に記載のワイヤレスデバイス。
【請求項５８】
前記制御拡張フィールドは、あらかじめ定義された変調コーディング方式を有する、
請求項５７に記載のワイヤレスデバイス。
【請求項５９】
前記制御情報は、巡回冗長チェックフィールドと送信電力表示フィールドとを備える、
請求項４７に記載のワイヤレスデバイス。
【請求項６０】
前記制御情報は、前記制御フレームの前記帯域幅のインジケータを備える、
請求項４７に記載のワイヤレスデバイス。
【請求項６１】
前記制御フレームは、肯定応答フレームである、
請求項４７に記載のワイヤレスデバイス。
【請求項６２】
前記制御フレームは、省電力ポーリングフレームである、
請求項４７に記載のワイヤレスデバイス。
【請求項６３】
前記制御フレームは、送信要求フレームである、
請求項４７に記載のワイヤレスデバイス。
【請求項６４】
前記制御フレームは、送信可フレームである、
請求項４７に記載のワイヤレスデバイス。
【請求項６５】
前記制御フレームは、ブロック肯定応答要求フレームおよびブロック肯定応答フレームのうちの少なくとも一方である、
請求項４７に記載のワイヤレスデバイス。
【請求項６６】
前記制御フレームは、コンテンションフリー終了フレームおよびコンテンションフリー終了ポーリングフレームのうちの少なくとも一方である、
請求項４７に記載のワイヤレスデバイス。
【請求項６７】
前記制御フレームは、変調コーディング方式要求フレームおよび変調コーディング方式応答フレームのうちの少なくとも一方である、
請求項４７に記載のワイヤレスデバイス。
【請求項６８】
前記制御フレームは、ヌルデータパケットフレームである、
請求項４７に記載のワイヤレスデバイス。
【請求項６９】
前記制御フレームは、プローブ要求フレームおよびプローブ応答フレームのうちの少なくとも一方である、
請求項４７に記載のワイヤレスデバイス。
【請求項７０】
信号フィールドを有する物理レイヤプリアンブルを備える制御フレームを生成するためのコードと、ここで、前記制御フレームは、制御フレームタイプのフレームであることを示すインジケータを含む、
前記制御フレームを送信するためのコードと
を備えるコンピュータ可読媒体を備える、コンピュータプログラム製品。
【請求項７１】
前記インジケータは、前記制御フレームが制御フレームタイプのフレームであることを示す、長さフィールドを備える、
請求項７０に記載のコンピュータプログラム製品。
【請求項７２】
前記長さフィールドに対する０の値は、フレームのタイプが制御フレームタイプであることを示す、
請求項７１に記載のコンピュータプログラム製品。
【請求項７３】
前記長さフィールドに対する１０未満の値は、フレームのタイプが制御フレームタイプであることを示す、
請求項７１に記載のコンピュータプログラム製品。
【請求項７４】
前記値は、制御フレームのタイプを示す、
請求項７３に記載のコンピュータプログラム製品。
【請求項７５】
前記制御フレームの制御情報は、前記信号フィールド内に含まれる、
請求項７０に記載のコンピュータプログラム製品。
【請求項７６】
前記制御フレームは、本質的に、物理レイヤプリアンブルから成る、
請求項７０に記載のコンピュータプログラム製品。
【請求項７７】
前記信号フィールドは、前記制御フレームが制御フレームタイプであることを示す、単一ビットを備える、
請求項７０に記載のコンピュータプログラム製品。
【請求項７８】
前記制御フレームのフィールドの予約された値は、前記制御フレームが制御フレームタイプであることを示す、
請求項７０に記載のコンピュータプログラム製品。
【請求項７９】
前記制御フレームは、前記制御フレームのタイプを示すタイプフィールドをさらに含む、
請求項７０に記載のコンピュータプログラム製品。
【請求項８０】
前記制御フレームは、追加の制御情報を備える制御拡張フィールドをさらに備える、
請求項７０に記載のコンピュータプログラム製品。
【請求項８１】
前記制御拡張フィールドは、あらかじめ定義された変調コーディング方式を有する、
請求項８０に記載のコンピュータプログラム製品。
【請求項８２】
前記制御情報は、巡回冗長チェックフィールドと送信電力表示フィールドとを備える、
請求項７０に記載のコンピュータプログラム製品。
【請求項８３】
前記制御情報は、前記制御フレームの前記帯域幅のインジケータを備える、
請求項７０に記載のコンピュータプログラム製品。
【請求項８４】
前記制御フレームは、肯定応答フレームである、
請求項７０に記載のコンピュータプログラム製品。
【請求項８５】
前記制御フレームは、省電力ポーリングフレームである、
請求項７０に記載のコンピュータプログラム製品。
【請求項８６】
前記制御フレームは、送信要求フレームである、
請求項７０に記載のコンピュータプログラム製品。
【請求項８７】
前記制御フレームが送信可フレームである、
請求項７０に記載のコンピュータプログラム製品。
【請求項８８】
前記制御フレームは、ブロック肯定応答要求フレームおよびブロック肯定応答フレームのうちの少なくとも一方である、
請求項７０に記載のコンピュータプログラム製品。
【請求項８９】
前記制御フレームは、コンテンションフリー終了フレームおよびコンテンションフリー終了ポーリングフレームのうちの少なくとも一方である、
請求項７０に記載のコンピュータプログラム製品。
【請求項９０】
前記制御フレームは、変調コーディング方式要求フレームおよび変調コーディング方式応答フレームのうちの少なくとも一方である、
請求項７０に記載のコンピュータプログラム製品。
【請求項９１】
前記制御フレームは、ヌルデータパケットフレームである、
請求項７０に記載のコンピュータプログラム製品。
【請求項９２】
前記制御フレームは、プローブ要求フレームおよびプローブ応答フレームのうちの少なくとも一方である、
請求項７０に記載のコンピュータプログラム製品。
【発明の詳細な説明】
【関連出願】
【０００１】
[0001]本出願は、本発明の譲受人に譲渡され、参照によりその全体が本明細書に組み込まれる、２０１１年１２月２９日に出願された「ＳＹＳＴＥＭＳ  ＡＮＤ  ＭＥＴＨＯＤＳ  ＦＯＲ  ＧＥＮＥＲＡＴＩＮＧ  ＡＮＤ  ＤＥＣＯＤＩＮＧ  ＳＨＯＲＴ  ＣＯＮＴＲＯＬ  ＦＲＡＭＥＳ  ＩＮ  ＷＩＲＥＬＥＳＳ  ＣＯＭＭＵＮＩＣＡＴＩＯＮＳ」と題する米国仮出願第６１／５８１，２５４号の優先権を主張するものである。本出願はさらに、本発明の譲受人に譲渡され、参照によりその全体が本明細書に組み込まれる、２０１２年１月２７日に出願された「ＳＹＳＴＥＭＳ  ＡＮＤ  ＭＥＴＨＯＤＳ  ＦＯＲ  ＧＥＮＥＲＡＴＩＮＧ  ＡＮＤ  ＤＥＣＯＤＩＮＧ  ＳＨＯＲＴ  ＣＯＮＴＲＯＬ  ＦＲＡＭＥＳ  ＩＮ  ＷＩＲＥＬＥＳＳ  ＣＯＭＭＵＮＩＣＡＴＩＯＮＳ」と題する米国仮出願第６１／５９１，５３０号の優先権を主張するものである。本出願はさらに、本発明の譲受人に譲渡され、参照によりその全体が本明細書に組み込まれる、２０１２年３月２日に出願された「ＳＹＳＴＥＭＳ  ＡＮＤ  ＭＥＴＨＯＤＳ  ＦＯＲ  ＧＥＮＥＲＡＴＩＮＧ  ＡＮＤ  ＤＥＣＯＤＩＮＧ  ＳＨＯＲＴ  ＣＯＮＴＲＯＬ  ＦＲＡＭＥＳ  ＩＮ  ＷＩＲＥＬＥＳＳ  ＣＯＭＭＵＮＩＣＡＴＩＯＮＳ」と題する米国仮出願第６１／６０５，９００号の優先権を主張するものである。本出願はさらに、本発明の譲受人に譲渡され、参照によりその全体が本明細書に組み込まれる、２０１２年５月１７日に出願された「ＳＹＳＴＥＭＳ  ＡＮＤ  ＭＥＴＨＯＤＳ  ＦＯＲ  ＧＥＮＥＲＡＴＩＮＧ  ＡＮＤ  ＤＥＣＯＤＩＮＧ  ＳＨＯＲＴ  ＣＯＮＴＲＯＬ  ＦＲＡＭＥＳ  ＩＮ  ＷＩＲＥＬＥＳＳ  ＣＯＭＭＵＮＩＣＡＴＩＯＮＳ」と題する米国仮出願第６１／６４８，５１０号の優先権を主張するものである。本出願はさらに、本発明の譲受人に譲渡され、参照によりその全体が本明細書に組み込まれる、２０１２年８月２０日に出願された「ＳＹＳＴＥＭＳ  ＡＮＤ  ＭＥＴＨＯＤＳ  ＦＯＲ  ＧＥＮＥＲＡＴＩＮＧ  ＡＮＤ  ＤＥＣＯＤＩＮＧ  ＳＨＯＲＴ  ＣＯＮＴＲＯＬ  ＦＲＡＭＥＳ  ＩＮ  ＷＩＲＥＬＥＳＳ  ＣＯＭＭＵＮＩＣＡＴＩＯＮＳ」と題する米国仮出願第６１／６９１，０６６号の優先権を主張するものである。本出願はさらに、本発明の譲受人に譲渡され、参照によりその全体が本明細書に組み込まれる、２０１２年１１月２９日に出願された「ＳＹＳＴＥＭＳ  ＡＮＤ  ＭＥＴＨＯＤＳ  ＦＯＲ  ＧＥＮＥＲＡＴＩＮＧ  ＡＮＤ  ＤＥＣＯＤＩＮＧ  ＳＨＯＲＴ  ＣＯＮＴＲＯＬ  ＦＲＡＭＥＳ  ＩＮ  ＷＩＲＥＬＥＳＳ  ＣＯＭＭＵＮＩＣＡＴＩＯＮＳ」と題する米国仮出願第６１／７３１，４２５号の優先権を主張するものである。
【技術分野】
【０００２】
[0002]本出願は、一般にワイヤレス通信に関し、より詳細には、ショート制御フレームを通信するためのシステム、方法、およびデバイスに関する。
【背景技術】
【０００３】
[0003]多くの電気通信システムでは、通信ネットワークは、いくつかのインタラクトしている空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
[0004]ワイヤレスネットワークは、しばしば、ネットワーク要素がモバイルであり、そのため動的接続性の必要があるとき、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、固定ワイヤードネットワークと比較して、ユーザモビリティと迅速なフィールド展開とを有利な形で可能にする。
【０００５】
[0005]ワイヤレスネットワーク中のデバイスは、互いの間で情報を送信／受信し得る。その情報は、いくつかの態様ではデータユニットと呼ばれることがある、パケットを備え得る。パケットは制御フレームを備え得る。制御情報とペイロードデータとを有する制御フレームは、受信デバイスに対して著しいオーバーヘッドと増加した処理待機時間とを引き起こすことがある。したがって、システム、方法および非一時的コンピュータ可読媒体は、ネットワークオーバーヘッドと処理オーバーヘッドとを低減する必要がある。
【発明の概要】
【０００６】
[0006]本発明のシステム、方法、およびデバイスは、それぞれいくつかの態様を有し、それらのうちの単一の態様が単独で本発明の望ましい属性を担うわけではない。次に、以下の特許請求の範囲によって表される本発明の範囲を限定することなしに、いくつかの特徴について手短に説明する。この説明を考察すれば、特に「発明を実施するための形態」と題するセクションを読めば、本発明の特徴が、制御フレームのサイズを減少させることを含む利点をどのように提供するかが理解されよう。
【０００７】
[0007]本開示の一態様は、ワイヤレス通信の方法を提供する。本方法は、信号フィールドを有する物理レイヤプリアンブルを備える制御フレームを生成することを備え、信号フィールドは、制御フレームが制御フレームタイプのフレームであることを示すインジケータを含む。本方法は、制御フレームを送信することをさらに含む。
【０００８】
[0008]本開示の別の態様は、信号フィールドを有する物理レイヤプリアンブルを備える制御フレームを生成するように構成されたプロセッサを備えるワイヤレスデバイスを提供し、信号フィールドは、制御フレームが制御フレームタイプのフレームであることを示すインジケータを含む。ワイヤレスデバイスは、制御フレームを送信するように構成された送信機をさらに備える。
【０００９】
[0009]本開示の別の態様は、信号フィールドを有する物理レイヤプリアンブルを備える制御フレームを生成するための手段を備えるワイヤレスデバイスを提供し、信号フィールドは、制御フレームが制御フレームタイプのフレームであることを示すインジケータを含む。ワイヤレスデバイスは、制御フレームを送信するための手段をさらに備える。
【００１０】
[0010]本開示の別の態様は、コンピュータ可読媒体を備えるコンピュータプログラム製品を提供する。コンピュータ可読媒体は、信号フィールドを有する物理レイヤプリアンブルを備える制御フレームを生成するためのコードを備え、信号フィールドは、制御フレームが制御フレームタイプのフレームであることを示すインジケータを含む。コンピュータ可読媒体は、制御フレームを送信するためのコードをさらに備える。
【図面の簡単な説明】
【００１１】
【図１】本開示の態様が採用され得るワイヤレス通信システムの一例を示す図。
【図２】図１のワイヤレス通信システム内で採用され得るワイヤレスデバイスにおいて利用され得る様々な構成要素を示す図。
【図３】図１のシステム内で生成され、通信され得る制御フレームの一例を示す図。
【図４】図１のシステム内で生成され、通信され得る制御フレームの別の例を示す図。
【図５】図１のシステム内で生成され、通信され得る制御フレームの別の例を示す図。
【図６】ＡＣＫフレームの一例のＳＩＧフィールド内に含まれ得るフィールドを示す表。
【図７】ＡＣＫフレームの別の例のＳＩＧフィールド内に含まれ得るフィールドを示す表。
【図８】図５の制御フレームに類似するフォーマットを有するＡＣＫフレームの別の例を示す図。
【図９】制御フレームを生成し、送信するための例示的な方法の一態様のフローチャート。
【図１０】図１のワイヤレス通信システム内で採用され得る例示的なワイヤレスデバイスの機能ブロック図。
【図１１】制御フレームを受信し、処理するための例示的な方法の一態様のフローチャート。
【図１２】図１のワイヤレス通信システム内で採用され得る例示的なワイヤレスデバイスの機能ブロック図。
【図１３】ＰＳ−ｐｏｌｌフレームの一例を示す図。
【図１４】ＡＣＫフレームの一例を示す図。
【図１５】ＲＴＳフレームの一例を示す図。
【図１６】ＣＴＳフレームの一例を示す図。
【図１７】ブロックＡＣＫフレームの一例を示す図。
【発明を実施するための形態】
【００１２】
[0028]添付の図面を参照しながら、新規のシステム、装置、および方法の様々な態様について以下でより十分に説明する。ただし、本開示の教示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本発明の他の態様とは無関係に実装されるにせよ、本開示の他の態様と組み合わせて実装されるにせよ、本明細書で開示する新規のシステム、装置、および方法のいかなる態様をもカバーするものであることを、当業者なら諒解されたい。たとえば、本明細書に記載の態様をいくつ使用しても、装置は実装され得、または方法は実施され得る。さらに、本発明の範囲は、本明細書に記載の本発明の様々な態様に加えてまたはそれらの態様以外に、他の構造、機能、または構造および機能を使用して実施されるそのような装置または方法をカバーするものとする。本明細書で開示する任意の態様が請求項の１つまたは複数の要素によって実施され得ることを理解されたい。
【００１３】
[0029]本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００１４】
[0030]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明する様々な態様は、ＷｉＦｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、サブ１ＧＨｚ帯域を使用するＩＥＥＥ８０２．１１ａｈプロトコルの一部として使用され得る。
【００１５】
[0031]いくつかの態様では、サブギガヘルツ帯域中のワイヤレス信号は、直交周波数分割多重（ＯＦＤＭ）、直接シーケンススペクトル拡散（ＤＳＳＳ：direct-sequence spread spectrum）通信、ＯＦＤＭとＤＳＳＳ通信との組合せ、または他の方式を使用して、８０２．１１ａｈプロトコルに従って送信され得る。８０２．１１ａｈプロトコルの実装形態は、センサー、メータリング、およびスマートグリッドネットワークのために使用され得る。有利には、８０２．１１ａｈプロトコルを実装するいくつかのデバイスの態様は、他のワイヤレスプロトコルを実装するデバイスよりも少ない電力を消費し得、および／または比較的長い距離、たとえば約１キロメートル以上にわたってワイヤレス信号を送信するために使用され得る。
【００１６】
[0032]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントが存在し得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイル電話などであり得る。一例では、ＳＴＡは、インターネットまたは他のワイドエリアネットワークへの一般的接続性を取得するためにＷｉＦｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１７】
[0033]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、または何らかの他の用語を備えるか、それらのいずれかとして実装されるか、あるいはそれらのいずれかとして知られていることがある。
【００１８】
[0034]また、局「ＳＴＡ」は、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００１９】
[0035]上記で説明したように、本明細書で説明するデバイスのうちのいくつかは、たとえば、８０２．１１ａｈ規格を実装し得る。そのようなデバイスは、ＳＴＡとして使用されるにせよ、ＡＰとして使用されるにせよ、他のデバイスとして使用されるにせよ、スマートメータリングのためにまたはスマートグリッドネットワークにおいて使用され得る。そのようなデバイスは、センサー適用例を与えるか、またはホームオートメーションにおいて使用され得る。デバイスは、代わりにまたは追加として、たとえばパーソナルヘルスケアのためにヘルスケアコンテキストにおいて使用され得る。それらはまた、（たとえばホットスポットとともに使用する）拡張範囲インターネット接続性を可能にするため、またはマシンツーマシン通信を実装するために、監視のために使用され得る。
【００２０】
[0036]図１に、本開示の態様が採用され得るワイヤレス通信システム１００の一例を示す。ワイヤレス通信システム１００は、ワイヤレス規格、たとえば８０２．１１ａｈ規格に従って動作し得る。ワイヤレス通信システム１００は、ＳＴＡ１０６と通信するＡＰ１０４を含み得る。
【００２１】
[0037]様々なプロセスおよび方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信および受信され得る。この場合、ワイヤレス通信システム１００はＯＦＤＭ／ＯＦＤＭＡシステムと呼ばれることがある。代替的に、信号は、ＣＤＭＡ技法に従って、ＡＰ１０４とＳＴＡ１０６との間で送信および受信され得る。この場合、ワイヤレス通信システム１００はＣＤＭＡシステムと呼ばれることがある。
【００２２】
[0038]ＡＰ１０４からＳＴＡ１０６のうちの１つまたは複数への送信を可能にする通信リンクはダウンリンク（ＤＬ）１０８と呼ばれることがあり、ＳＴＡ１０６のうちの１つまたは複数からＡＰ１０４への送信を可能にする通信リンクはアップリンク（ＵＬ）１１０と呼ばれることがある。代替的に、ダウンリンク１０８を順方向リンクまたは順方向チャネルと呼び、アップリンク１１０を逆方向リンクまたは逆方向チャネルと呼ぶことができる。
【００２３】
[0039]ＡＰ１０４は、基本サービスエリア（ＢＳＡ）１０２においてワイヤレス通信カバレージを与え得る。ＡＰ１０４は、ＡＰ１０４に関連付けられ、また通信のためにＡＰ１０４を使用する、ＳＴＡ１０６とともに、基本サービスセット（ＢＳＳ）と呼ばれることがある。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明するＡＰ１０４の機能は、ＳＴＡ１０６のうちの１つまたは複数によって代替的に実行され得る。
【００２４】
[0040]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成できるデバイスの一例である。たとえば、ワイヤレスデバイス２０２は、ＡＰ１０４を備えるか、またはＳＴＡ１０６のうちの１つを備え得る。
【００２５】
[0041]ワイヤレスデバイス２０２は、ワイヤレスデバイス２０２の動作を制御するプロセッサ２０４を含み得る。プロセッサ２０４は中央処理装置（ＣＰＵ）と呼ばれることもある。読取り専用メモリ（ＲＯＭ）とランダムアクセスメモリ（ＲＡＭ）の両方を含むことができるメモリ２０６は、命令とデータとをプロセッサ２０４に与える。メモリ２０６の一部は不揮発性ランダムアクセスメモリ（ＮＶＲＡＭ）をも含むことができる。プロセッサ２０４は一般に、メモリ２０６内に記憶されたプログラム命令に基づいて、論理および演算動作を実行する。メモリ２０６中の命令は、本明細書で説明する方法を実装するために実行可能である。
【００２６】
[0042]プロセッサ２０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実行することができる任意の他の好適なエンティティの任意の組合せを用いて実装され得る。
【００２７】
[0043]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明する様々な機能を処理システムに実行させる。
【００２８】
[0044]ワイヤレスデバイス２０２はまた、ワイヤレスデバイス２０２と遠隔ロケーションとの間のデータの送信および受信を可能にするために送信機２１０と受信機２１２とを含み得るハウジング２０８を含み得る。送信機２１０と受信機２１２とを組み合わせてトランシーバ２１４を形成することができる。アンテナ２１６は、ハウジング２０８に取り付けられ、トランシーバ２１４に電気的に結合され得る。ワイヤレスデバイス２０２は、複数の送信機、複数の受信機、複数のトランシーバ、および／または複数のアンテナ（図示せず）をも含むことができる。
【００２９】
[0045]ワイヤレスデバイス２０２は、トランシーバ２１４によって受信された信号のレベルを検出および定量化するために使用できる信号検出器２１８をも含むことができる。信号検出器２１８は、総エネルギー、シンボルごとのサブキャリア当たりのエネルギー、電力スペクトル密度および他の信号などの信号を検出し得る。ワイヤレスデバイス２０２は、信号を処理する際に使用するためのデジタル信号プロセッサ（ＤＳＰ）２２０を含むこともできる。ＤＳＰ２２０は、送信のためのデータユニットを生成するように構成され得る。いくつかの態様では、データユニットは物理レイヤデータユニット（ＰＰＤＵ：physical layer data unit）を備え得る。いくつかの態様では、ＰＰＤＵはパケットと呼ばれる。
【００３０】
[0046]ワイヤレスデバイス２０２は、いくつかの態様では、ユーザインターフェース２２２をさらに備え得る。ユーザインターフェース２２２は、キーパッド、マイクロフォン、スピーカー、および／またはディスプレイを備え得る。ユーザインターフェース２２２は、ワイヤレスデバイス２０２のユーザに情報を伝達し、および／またはユーザからの入力を受信する、任意の要素または構成要素を含み得る。
【００３１】
[0047]ワイヤレスデバイス２０２の様々な構成要素はバスシステム２２６によって互いに結合され得る。バスシステム２２６は、たとえば、データバスを含み得、ならびに、データバスに加えて、電力バス、制御信号バス、およびステータス信号バスを含み得る。ワイヤレスデバイス２０２の構成要素は、何らかの他の機構を使用して、互いに結合されるか、あるいは互いに対する入力を受け付けるかまたは与え得ることを当業者は諒解されよう。
【００３２】
[0048]図２には、いくつかの別個の構成要素が示されているが、構成要素のうちの１つまたは複数が組み合わされ得るかまたは共通に実装され得ることを当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示す構成要素の各々は、複数の別個の要素を使用して実装され得る。
【００３３】
[0049]上記で説明したように、ワイヤレスデバイス２０２は、ＡＰ１０４またはＳＴＡ１０６を備え得、通信を送信および／または受信するために使用され得る。ワイヤレスネットワーク内のデバイス間で交換される通信は、パケットまたはフレームを備え得るデータユニットを含み得る。いくつかの態様では、データユニットは、データフレームと、制御フレームと、管理フレームとを含む３つのタイプのフレームを含み得る。データフレームは、ＡＰおよび／またはＳＴＡから他のＡＰおよび／またはＳＴＡにデータを送信するために使用され得る。制御フレームは、様々な動作を実行するため、およびデータを確実に送達するためのデータフレーム（たとえば、データの受領を肯定応答すること、ＡＰのポーリング、エリア−クリアリング動作、チャネル取得、キャリア−センシング維持機能など）とともに使用され得る。管理フレームは、様々な監督機能のために（たとえば、ワイヤレスネットワークに接続し、そこから離脱するためなどに）使用され得る。
【００３４】
[0050]上記で説明したように、ＤＳＰ  ２２０および／またはプロセッサ２０４は、送信のためのデータユニットを生成するように構成され得る。いくつかの態様では、生成されたデータユニットは、制御情報と、随意に複数のデータシンボルとを含む制御フレームを備え得る。制御フレームは、データフレームの送達を助けるために使用され得、媒体アクセス制御（ＭＡＣ）ヘッダ内に含まれ得る。制御情報とデータシンボル（たとえば、ペイロードデータ）とを有するＭＡＣヘッダ内に含まれる制御フレームは、受信デバイスに対して著しいオーバーヘッドと増加した処理待機時間とを引き起こすことがある。たとえば、制御フレームは、プロトコル情報、制御タイプ情報、アドレス情報、ペイロードデータなどを含み得る。ある態様では、制御フレーム内に含まれる情報は、制御フレームの特定の使用のために必ずしも必要であるとは限らない。したがって、システム、方法および非一時的コンピュータ可読媒体は、ショート制御フレームを生成し、復号するために必要である。たとえば、ショート制御フレームは、制御フレームから何らかの情報を省略することによって、および／または物理レイヤ（ＰＨＹ）プリアンブルなど、他のパケットロケーション内の制御フレームを含むことによって生成され得る。たとえば、制御フレームは、複数のフィールドを含む物理レイヤ（ＰＨＹ）プリアンブルを備え得る。フィールドは、たとえば、１つまたは複数のトレーニングフィールド（たとえば、ショートトレーニングフィールド（ＳＴＦ）およびロングトレーニングフィールド（ＬＴＦ））と、信号（ＳＩＧ）フィールドとを含み得る。トレーニングフィールドの各々は、ビットまたはシンボルの既知のシーケンスを含み得る。いくつかの態様では、ＳＩＧフィールドは、データユニットについての情報、たとえば、データユニットの長さまたはデータレートの記述（たとえば、ＬＥＮＧＴＨフィールド、変調コーディング方式（ＭＣＳ）フィールド、帯域幅（ＢＷ）フィールドなど）を含み得る。いくつかの態様では、ショート制御フレームは、ＰＨＹプリアンブルのＳＩＧフィールド内の制御フレームを符号化することによって生成され得る。
【００３５】
[0051]図３に、図１のシステム内で生成され、通信され得る制御フレーム３００の一例を示す。図示のように、制御フレーム３００は、ＳＴＦフィールド３０５と、ＬＴＦフィールド３１０と、制御ＳＩＧフィールド３１５とを含む。たとえば、制御フレーム３００は、ＰＨＹプリアンブルであり得る。いくつかの態様では、ＰＨＹプリアンブルは、ＩＥＥＥ  ８０２．１１仕様に規定される物理レイヤ収束プロトコル（ＰＬＣＰ）レイヤを備え得る。ＳＴＦフィールド３０５は、１つまたは複数のＳＴＦを含む。ＬＴＦフィールド３１０は、１つまたは複数のＬＴＦを含む。制御フレーム３００に対する制御情報は、ＳＩＧフィールド３１５内に含まれ得る。さらに、いくつかの態様では、制御フレームは、追加のフィールドまたはデータ（たとえば、ペイロード）をまったく含まない。結果として、ネットワークオーバーヘッドが低減され得、データパケットのスループットおよび処理が向上され得る。
【００３６】
[0052]図４に、図１のシステム内で生成され、通信され得る制御フレーム４００の別の例を示す。図示のように、制御フレーム４００は、ＳＴＦフィールド４０５と、ＬＴＦフィールド４１０と、制御ＳＩＧフィールド４１５と、制御拡張フィールド４２０とを含む。制御フレーム３００と同様に、ＳＴＦフィールド４０５は１つまたは複数のＳＴＦを含み、ＬＴＦフィールド４１０は１つまたは複数のＬＴＦを含む。さらに、制御フレーム３００と同様に、制御フレーム４００に対する制御情報は、ＳＩＧフィールド４１５内に含まれ得る。しかしながら、制御フレーム３００とは違って、追加の制御情報が、制御拡張フィールド４２０内に含まれ得る。たとえば、ＳＴＦフィールド４０５、ＬＴＦフィールド４１０および制御ＳＩＧフィールド４１５が、制御フレーム４００のＰＨＹプリアンブル内に含まれ得る。しかしながら、制御フレーム４００のＰＨＹプリアンブルに適合しない追加の制御情報が存在することがある。したがって、制御フレーム４００のデータ部分の一部分（たとえば、少数のシンボル）が、追加の制御情報を含めるために制御拡張フィールド４２０として利用され得る。制御フレーム４００の制御拡張フィールド４２０は、送信機と受信機との間の（たとえば、アソシエーションにおけるかまたはビーコン内の）異なるメッセージ内であらかじめ定められ得るかまたはネゴシエートされ得るデフォルトＭＣＳとともに送られ得る。一態様では、制御拡張フィールド４２０のＭＣＳは、ＳＩＧフィールド４１５内で示され得る。制御フレーム３００と制御フレーム４００の両方は、通信のために使用され得る。たとえば、制御フレーム３００は、制御情報がＳＩＧフィールド３１５内で適合する場合に利用され得る。さらに、制御フレーム４００は、制御情報がＳＩＧフィールド３１５内で適合しない場合に利用され得る。いくつかの態様では、さらに、ＳＩＧフィールドのＬＥＮＧＴＨフィールドは、制御拡張フィールドが制御フレーム内に含まれるか否かを示し得る。
【００３７】
[0053]図５に、図１のシステム内で生成され、通信され得る制御フレーム５００の別の例を示す。図示のように、制御フレーム５００は、ＳＴＦフィールド５０５およびＬＴＦフィールド５１０と、ＳＩＧフィールド５１５と、ＳＥＲＶＩＣＥフィールド５２０と、フレーム制御（ＦＣ）フィールド５２５と、制御情報（ＩＮＦＯ）フィールド５３０と、フレームチェックシーケンス（ＦＣＳ）フィールド５３５とを含む。制御フレーム５００の制御情報は、制御ＩＮＦＯフィールド５３０内に含まれ得る。
【００３８】
[0054]上記の制御フレーム３００、４００および５００（または、任意の他の適切な制御フレーム）のうちのいずれかの中に含まれる制御情報のタイプは、制御フレームのタイプに依存することがある。たとえば、様々な異なる制御フレームは、ワイヤレスデバイス２０２によって生成され、通信され得る。図１のワイヤレスシステム内で使用される異なるタイプの制御フレームが、以下の制御フレームタイプ、すなわち肯定応答（ＡＣＫ）、省電力ポーリング（ＰＳ−ｐｏｌｌ）、送信要求（ＲＴＳ）、送信可（ＣＴＳ）、ブロックＡＣＫ要求（ＢＡＲ）、ブロックＡＣＫ（ＢＡ）、コンテンションフリー終了（ＣＦ−ｅｎｄ）、ＣＦ−ｅｎｄポーリング、ＭＣＳ要求、ＭＣＳ応答、ＮＵＬＬデータパケット（ＮＤＰ）、プローブ要求、およびプローブ応答のうちの１つまたは複数を含み得る。制御情報は、情報のフィールドを備え得る。異なる制御フレームタイプが、情報の異なるフィールドを備え得る。異なるタイプの制御フレーム内に含まれ得る情報の様々なフィールドを、本明細書で説明する。以下で説明するフィールドは、必ずしも、制御フレーム内に説明するのと同じ順序で含まれる必要があるとは限らないことに留意されたい。むしろ、フィールドは、任意の順序で、または制御情報が含まれる制御フレームの任意の部分（たとえば、ＳＩＧフィールド、制御拡張フィールド、制御フィールドなど）に含まれ得る。たとえば、フィールドは、優先度によって順序付けられ得る。所与の制御フレームタイプに対するフィールドの順序は、あらかじめ定められる（たとえば、デバイスの製造時またはデバイスの初期化時にプログラムされる、ワイヤレスデバイス２０２間の個別のメッセージ内で通信される）ことがあるが、それにより、ワイヤレスデバイス２０２は、制御フレーム内のどのビットがどのフィールドに対応するかに関する情報を有する。
【００３９】
[0055]いくつかの態様では、いくつかのフィールドは、タイプにかかわらず、すべての制御フレーム内に含まれ得る。たとえば、いくつかの態様では、タイプフィールドが、すべての制御フレーム内に含まれ得、そこにおいて、タイプフィールドは制御フレームのタイプを識別する。タイプフィールドは、たとえば、２、３または４ビット長であってよい。制御フレーム内の残されたビットの解釈（たとえば、どのビットがどのフィールドに対応するか、およびどのフィールドが含まれるかについての判断）は、制御フレームのタイプおよびさらにはフレームが制御フレームであるかどうかに基づくことができる。たとえば、いくつかの態様では、フレームのＳＩＧフィールドのＬＥＮＧＴＨフィールドの０の値は、フレームが、制御フレーム３００または４００などのショート制御フレームであることを示し得る。ＬＥＮＧＴＨフィールドが異なる値を有する場合、フレームは異なるタイプのもの（たとえば、データフレーム、管理フレーム、または異なるタイプの制御フレーム）であることを示し得る。ＳＩＧフィールドは、次に、制御フレームのタイプを示すタイプフィールドをさらに含み得る。いくつかの他の態様では、フレームのＳＩＧフィールドのＬＥＮＧＴＨフィールドの特定の値（たとえば、１０）より小さい任意の値は、フレームが、制御フレーム３００または４００など、制御フレームであることを示し得る。さらに、制御フレームのタイプは、ＬＥＮＧＴＨフィールドの値に基づくことができ、０〜１０の各値が、異なる制御フレームタイプに関連付けられ得ることを意味する。いくつかの他の態様では、一般に、ビットの値に応じて、フレームが制御フレーム３００または４００などの制御フレーム（または、特にショートフォーマット制御フレーム）であるか、それとも制御フレームでないか（たとえば、データフレーム、管理フレーム、または異なるタイプの制御フレーム）を示す、１ビットのタイプフィールドが、フレームに追加され得る。いくつかの他の態様では、フレームが制御フレーム３００または４００などの制御フレーム（または、特にショートフォーマット制御フレーム）であるか、または制御フレームでない（たとえば、データフレーム、管理フレーム、または異なるタイプの制御フレーム）かを示すために、フレーム内で規定されるフィールドの１つまたは複数の予約された値が使用され得る。たとえば、フレームが制御フレームおよび／または制御フレームのタイプであるかどうかを示すために、ＳＩＧフィールド内のＭＣＳフィールドの１つまたは複数の予約された値が使用され得る。この場合、タイプを示すさらなるフィールドは不要である。たとえば、空間時間ブロックコード（ＳＴＢＣ）フィールドの未使用の値が使用され得る。複数のフィールドはまた、制御フレームを識別するために組み合わせて使用され得る。また、ＬＥＮＧＴＨおよびＭＣＳが、制御フレームのタイプを示すために組み合わせて使用され得る。たとえば、ＬＥＮＧＴＨフィールドは、フレームが一定のタイプ（たとえば、ＮＤＰ）であることを示し得る値（たとえば、０）を有し得る一方で、ＬＥＮＧＴＨフィールドの異なる値（たとえば、ＬＥＮＧＴＨ＞０）は、制御フレームのタイプがＭＣＳによって示されることを示し得る。
【００４０】
[0056]同様に、１ビットのタイプフィールドが、制御フレームのタイプを示すためにＬＥＮＧＴＨフィールドと組み合わせて使用され得る。たとえば、１ビットのタイプフィールドの値（たとえば、０）は、フレームが一定のタイプ（たとえば、ＮＤＰ）以外のタイプの制御フレームであることを示し得る。さらに、１ビットのタイプフィールドの別の値（たとえば、１）は、ＬＥＮＧＴＨフィールドが一定の値（たとえば、０）を有する場合はフレームは一定のタイプ（たとえば、ＮＤＰ）であり、ＬＥＮＧＴＨフィールドが異なる値（たとえば、ＬＥＮＧＴＨ＞０）を有する場合はフレームは制御フレームではないことを示し得る。
【００４１】
[0057]さらに、いくつかの態様では、巡回冗長チェック（ＣＲＣ）フィールドが、制御フレームのすべてのタイプに含まれ得る。ＣＲＣフィールドは、フレームが正常に受信されたことを確証するために使用され得る。ＣＲＣは、たとえば、４または５ビット長であってよい。さらに、いくつかの態様では、送信（ＴＸ）電力表示が、すべてのタイプの制御フレーム内に含まれ得る。ＴＸ電力表示は、制御フレームの送信機のＴＸ電力に基づいて受信機の経路損失または変化挙動を推定するために、制御フレームの受信機によって使用され得る。
【００４２】
[0058]さらに、いくつかの態様では、ＳＩＧフィールド内の１つのフィールドの中の、または２つ以上のフィールドにわたる、値の無効な組合せが、フレームが制御フレームであるかどうかを示すために使用され得る。たとえば、コーディングフィールドは、２つのサブフィールド（たとえば、それぞれ１ビット）を含み得る。コーディングフィールドの第１のサブフィールドは、コーディングタイプ（たとえば、二進畳み込みコーディング（ＢＣＣ）または低密度パリティチェック（ＬＤＰＣ）コーディング）を示し得る。コーディングフィールドの第２のサブフィールドは、フレーム長をいかにして計算するかを示し得る。たとえば、第１のサブフィールドがＢＣＣコーディングタイプを示すときは、第２のサブフィールドは０に設定され得る。コーディングフィールド内の０１の値は、正常な非制御フレームに対して有効ではなく、したがって、０１の値は、フレームが制御フレームであることを示すために使用され得る。同様の手順が、ＳＩＧフィールド内の他のフィールドまたはフィールドの組合せに適用され得る。さらに、ショート制御フレームは、制御フレームのタイプを識別するタイプフィールドを含む。
【００４３】
[0059]いくつかの態様では、制御フレームは、１または２ＭＨｚを占有するＰＨＹプリアンブルによって送られ得る。フレームの帯域幅は、ＰＨＹプリアンブル構造から黙示的に決定され得る。たとえば、ＰＨＹプリアンブルのＳＴＦおよび／またはＬＴＦは、フレームの帯域幅が１ＭＨｚであるかまたは２ＭＨｚであるかを判断するために使用され得る。
【００４４】
[0060]いくつかの態様では、制御フレームは、複数の１または２ＭＨｚの帯域幅チャネルにわたって複製されてよく、たとえば、制御フレームの複数のコピーが、隣接してもしなくてもよい複数のチャネル上で送られ得る。そのような制御フレームの受信機は、いくつのチャネル上でフレームが複製されるかを判断することができる。一態様では、制御フレームのＰＨＹプリアンブルのｉｎｆｏフィールドまたはＳＩＧフィールドは、フレームが複製されるチャネルの帯域幅または総数の表示を含み得る。たとえば、ｉｎｆｏフィールドまたはＳＩＧフィールドの２ビットは、以下の  
−  ００：フレームは複製されない  
−  ０１：２チャネル上で複製される  
−  １０：４チャネル上で複製される  
−  １１：８チャネル上で複製される  
のように使用され得、ここで、「チャネル」はフレームが１ＭＨｚの帯域幅のフレームであるかまたは２ＭＨｚの帯域幅のフレームであるかに応じて、１ＭＨｚまたは２ＭＨｚの帯域幅のチャネルであってよい。
【００４５】
[0061]いくつかの態様では、制御フレームの１つのタイプはＡＣＫである。たとえば、ＳＴＡ  １０６ａは、ＡＰ  １０４にデータを送り得る。データを成功裏に受領すると、ＡＰ  １０４は、ＳＴＡ  １０６ａにＡＣＫを送って、データを成功裏に受信したことをＳＴＡ  １０６ａに示すことができる。いくつかの態様では、ＡＣＫは、以下のデータフレーム、管理フレーム、制御フレーム、ＰＳ−Ｐｏｌｌ、または別のタイプのフレームのうちの少なくとも１つを成功裏に受領することに応答して送られ得る。一態様では、ＡＣＫの制御情報は、すべてのタイプの制御フレームと、以下のフィールド、すなわちアドレス、肯定応答されているパケットの識別子、レート制御のための表示、バッファされるデータの表示、持続時間、およびドップラー表示のうちの１つまたは複数との中に含まれている、上記で説明したフィールドのうちの１つまたは複数から成るかまたは本質的に成ることができる。一態様では、持続時間フィールドは９ビット以下であり、ネットワーク割り当てベクトル（ＮＡＶ）を更新するために使用され得る。別の態様では、ＡＣＫは、トリガフレーム、たとえばＰＳ−ｐｏｌｌまたはＱｏＳ（サービス品質）ヌルへの応答として送られ得、その場合、持続時間フィールドは、ＡＰが有するバッファされるユニットのデータ送達時間がその特定のＳＴＡに対して利用可能であることを示し得る。いくつかの態様では、持続時間は、マイクロ秒で、または時間単位の倍数で（たとえば、アソシエーション、リアソシエーションの間にＡＰおよびＳＴＡが一致するか、または管理フレームによって送られる、時間スロットまたはあらかじめ定義された値）で表現され得る。ＡＣＫの制御情報（たとえば、ＩＮＦＯフィールド、制御ｉｎｆｏフィールドなど）は、追加のフィールドをまったく含み得ない。
【００４６】
[0062]いくつかの態様では、ＡＣＫのアドレスフィールドは、グローバルに（たとえば、ほとんどのネットワークにおいて）ＡＣＫの送信機および／または受信機を一意に識別する１つまたは複数のグローバルアドレス（たとえば、ＭＡＣアドレス、ＢＳＳＩＤ）を含み得る。いくつかの態様では、アドレスフィールドは、ローカルに（たとえば、特定のＢＳＳにおいてなど、ローカルネットワークにおいて）ＡＣＫの送信機および／または受信機を一意に識別する１つまたは複数のローカルアドレス（たとえば、関連付け識別子（ＡＩＤ））を含み得る。いくつかの態様では、アドレスフィールドは、ＡＣＫの送信機および／または受信機を識別する、部分または非一意識別子（たとえば、ＭＡＣアドレスまたはＡＩＤの一部分）を含み得る。たとえば、アドレスフィールドは、ＡＣＫによって肯定応答されているフレームからコピーされたＡＣＫの送信機および／または受信機のＡＩＤ、ＭＡＣアドレス、あるいはＡＩＤまたはＭＡＣアドレスの一部分のうちの１つであり得る。
【００４７】
[0063]いくつかの態様では、ＡＣＫの識別子フィールドは、肯定応答されているフレーム（たとえば、１つまたは複数のＭＡＣプロトコルデータユニット（ＭＰＤＵ））を識別し得る。たとえば、一態様では、識別子フィールドは、フレームのコンテンツのハッシュであり得る。別の態様では、識別子フィールドは、フレームのＣＲＣ（たとえば、ＦＣＳフィールド）の全体または一部分を含み得る。別の態様では、識別子フィールドは、フレームのＣＲＣ（たとえば、ＦＣＳフィールド）の全体または一部分と、ローカルアドレス（たとえば、ＳＴＡのＡＩＤ）の全体または一部分とに基づき得る。別の態様では、識別子フィールドはフレームのシーケンス番号であり得る。別の態様では、識別子フィールドは、以下のＡＣＫの送信機／受信機の１つまたは複数のグローバルアドレス、ＡＣＫの送信機／受信機の１つまたは複数のローカルアドレス、ＡＣＫの送信機／受信機のグローバルアドレスのうちの１つまたは複数の部分、もしくはＡＣＫの送信機／受信機のローカルアドレスのうちの１つまたは複数の部分、肯定応答されているＭＰＤＵのうちの１つのシーケンス番号（または、シーケンス番号の一部分）、肯定応答されているフレームのＣＲＣ（たとえば、ＦＣＳフィールド）の全体または一部分、肯定応答されているフレームのスクランブリングシードの全体または一部分、のうちの１つまたは複数の、いずれかの組合せに基づいて計算され得る。たとえば、一態様では、識別子フィールドは、グローバルアドレス（たとえば、ＡＰのＢＳＳＩＤ、ＭＡＣアドレス）とローカルアドレス（たとえば、ＳＴＡのＡＩＤ）とのハッシュを含み得る。
【００４８】
（ｄｅｃ（ＡＩＤ［０：８］） ＋ ｄｅｃ（ＢＳＳＩＤ［４４：４７］    ＸＯＲ ＢＳＳＩＤ［４０：４３］） ２＾５ ） ｍｏｄ ２＾９    （１）  
上式で、ｄｅｃ（）は、１６進数を１０進数に変換する関数である。
【００４９】
[0064]別の態様では、識別子は、勧誘フレーム（soliciting frame）のＦＣＳの一部分と、勧誘フレームのＳＥＲＶＩＣＥフィールド内で発見されるスクランブリングシードもしくはスクランブリング値との組合せ、または勧誘フレームのシーケンス番号であってよい。たとえば、組合せは、ＦＣＳおよびスクランブリングシードの数ビットをＡＣＫ識別子の数ビットにする合計動作（sum operation）またはコピー動作を備え得る。いくつかの態様では、ＡＣＫ内に含まれる識別子は、勧誘フレームのタイプ／サブタイプに応じて異なることがある。一例として、勧誘フレームがデータフレームまたは管理フレームである場合、識別子は、勧誘フレーム内のＭＰＤＵのシーケンス番号に基づいてよく、またはデータパケットまたは管理パケット内に必要な情報が存在する場合に本明細書で説明する任意の他の識別子であってよい。フレームが制御フレーム（たとえば、ＰＳ−Ｐｏｌｌ）である場合、フレームはシーケンス番号を持たず、したがってこの場合、識別子は、ＰＳ−ＰｏｌｌフレームのＦＣＳ、ＰＳ−Ｐｏｌｌ識別子、または制御フレームが必要な情報を提供する、本明細書で説明するトークン番号もしくは任意の他の識別子に基づくことができる。
【００５０】
[0065]いくつかの態様では、ＡＣＫ内に含まれる識別子は、勧誘フレームのタイプ／サブタイプに応じて異なることがある。一例として、勧誘フレームがデータフレームまたは管理フレームである場合、識別子は、勧誘フレーム内のＭＰＤＵの部分的シーケンス番号と、データパケットまたは管理パケット内に必要な情報が存在する場合に本明細書で説明する任意の他の識別子との組合せに基づくことができる。ＡＣＫ  ＩＤ内に含まれる部分的シーケンス番号の長さは、Ｂｌｏｃｋ  ＡＣＫフレームが肯定応答し得るＭＰＤＵの最大数の関数であってよい。一例として、６ビット長の部分的シーケンス番号は、６４のＭＰＤＵの複数のブロックを区別するのに十分である。この態様では、ＡＣＫフレームは、Ｂｌｏｃｋ  ＡＣＫ機能を実行することができる。
【００５１】
[0066]一例として、フレームが制御フレーム（たとえば、ＰＳ−Ｐｏｌｌ）である場合、フレームはシーケンス番号を持たず、したがってこの場合、識別子は、ＰＳ−ＰｏｌｌフレームのＦＣＳ、または制御フレームが必要な情報を提供する、本明細書で説明するトークン番号もしくは任意の他の識別子に基づくことができる。追加の例として、本明細書で説明する概念に基づいて規定されるＰＳ−Ｐｏｌｌ制御フレームへの応答としてＡＣＫが送られる場合、ＡＣＫ識別子は、ＰＳ−Ｐｏｌｌ識別子と同じであってよい。
【００５２】
[0067]いくつかの態様では、ＡＣＫの識別子フィールドは、勧誘フレームの受信機アドレス（たとえば、アドレス１）の最下位ビットのうちの１つまたは複数を含む。勧誘フレーム内の受信機アドレスは、フレームフォーマットに応じてフルＭＡＣアドレスまたはローカルアドレス（ＡＩＤ）であってよい。いくつかの態様では、ＡＣＫの識別子フィールドは、勧誘フレームのＳＥＲＶＩＣＥフィールドからのスクランブリングシード（またはスクランブリングシードの一部分）と組み合わされた（たとえば、いくつかの他の計算によって合計された）受信機アドレスの最下位ビットのうちの１つまたは複数を含む。
【００５３】
[0068]いくつかの態様では、ＡＣＫの識別子フィールドは、勧誘フレームの最後の１つまたは複数のビットである。ＡＣＫの識別子フィールドに対する上記で説明した例のうちのいずれかは、任意のタイプのフレームに応答して、本明細書で説明するような任意の適切なショート制御フレームとともに含まれ得ることに留意されたい。
【００５４】
[0069]いくつかの態様では、応答においてＡＣＫが送られるフレームは、フレームの送信機によって設定されたトークン番号を含み得る。フレームの送信機は、アルゴリズムに基づいてトークン番号を生成し得る。いくつかの態様では、送信機によって生成されたトークン番号は、送信機によって送られる各フレームについて異なる値を有し得る。そのような態様では、フレームの受信機は、識別子をトークン番号として設定すること、またはトークン番号に少なくとも部分的に基づいて識別子を計算することによってなど、ＡＣＫの識別子フィールド中のトークン番号を使用して、肯定応答されているフレームを識別し得る。いくつかの態様では、識別子フィールドは、トークン番号と以下のＡＣＫの送信機／受信機の１つまたは複数のグローバルアドレス、ＡＣＫの送信機／受信機の１つまたは複数のローカルアドレス、ＡＣＫの送信機／受信機のグローバルアドレスのうちの１つまたは複数の部分、ＡＣＫの送信機／受信機のローカルアドレスのうちの１つまたは複数の部分、またはフレームのＣＲＣの全体もしくは一部分のうちの少なくとも１つとの組合せとして計算され得る。
【００５５】
[0070]いくつかの他の態様では、トークン番号は、ＳＩＧフィールドおよび／または制御情報（Control Info）フィールドなど、ＡＣＫおよび／または肯定応答されているフレームの別のフィールド中に含まれ得る。いくつかの態様では、トークンは、肯定応答されているフレームの、ＰＨＹプリアンブルの後に入り得るＳＥＲＶＩＣＥフィールド中のスクランブリングシードから導出され得る。
【００５６】
[0071]いくつかの態様では、ＡＣＫのレート制御フィールドの表示は、フレームの送信機が使用すべきであることをフレームの受信機（ＡＣＫの送信機）が示唆するＭＣＳを示す１つまたは複数のビットを含み得る。たとえば、一態様では、１つまたは複数のビットの値は、ＭＣＳが下げられるべきか、上げられるべきか、または同じままであるべきかのいずれかを示し得、かつＭＣＳがどれだけ変わるべきかを示し得る。別の態様では、１つまたは複数のビットの値は、特定のＭＣＳを示し得る。フレームは、フレームを送信するために使用される空間ストリームの数を示す、空間ストリーム数表示をさらに含み得る。
【００５７】
[0072]いくつかの態様では、バッファされたデータの表示は、ＡＣＫの送信機が、バッファされ、ＡＣＫの受信機に送られる準備ができたデータを有することを示す。たとえば、ＳＴＡ  １０６ａは、ＡＰ  １０４がＳＴＡ  １０６ａに送るためにバッファされたデータを有するかどうかを判断するために、（たとえばＰＳ−ｐｏｌｌメッセージを介して）ＡＰ  １０４をポーリングすることができる。したがって、ＡＰ  １０４は、ポーリングの成功裏の受領を肯定応答し、ＡＰ  １０４がバッファされたデータを有するか否かをフィールドの値が示す、バッファされたデータフィールドの表示を有するＡＣＫで応答することができる。
【００５８】
[0073]図６は、ＡＣＫフレームの一例のＳＩＧフィールド内に含まれ得るフィールドを示す表である。図示された態様では、ＳＩＧフィールドは、１ビットの制御フィールド６０５と、３ビットのタイプフィールド６１０と、ＡＩＤに対する１３ビットまたはＦＣＳに対する３２ビットまたは部分的ＭＡＣアドレスに対する４０ビットのアドレス／識別子フィールド６１５と、１〜４ビットのレート適応情報フィールド６２０と、４ビットのＣＲＣフィールド６２５と、６ビットのテールフィールド６３０とから成るかまたはそれらのみから成る。制御フィールド６０５は、フレームが上記で説明した制御フレームであるかどうかを示す。タイプフィールド６１０は、上記で説明したフレームのタイプを規定する。アドレス／識別子フィールド６１５は、上記で説明したアドレスフィールドまたは識別子フィールドの一方に対応する。レート適応情報フィールド６２０は、上記で説明したレート制御フィールドの表示に対応する。ＣＲＣフィールド６２５は、ＡＣＫフレームのＣＲＣに対応する。テールフィールド６３０は、ＡＣＫフレームを復号するためにＰＨＹレイヤによって必要とされる情報に対応する。
【００５９】
[0074]図７は、ＡＣＫフレームの別の例のＳＩＧフィールド内に含まれ得るフィールドを示す表である。図示の態様では、ＳＩＧフィールドは、１２または９ビットの長さフィールド７０５と、随意に（長さフィールドが上記で説明したタイプを示すかどうかに応じて）タイプフィールド７１０と、ＡＩＤに対する１３ビットまたはＦＣＳに対する３２ビットまたは部分的ＭＡＣアドレスに対する４０ビットのアドレス／識別子フィールド７１５と、４ビットのＣＲＣフィールド７２５と、６ビットのテールフィールド７３０とから成るかまたはそれらのみから成る。長さフィールド７０５は、上記で説明した長さフィールドに対応する。タイプフィールド７１０は、上記で説明したフレームのタイプを規定する。アドレス／識別子フィールド７１５は、上記で説明したアドレスフィールドまたは識別子フィールドの一方に対応する。ＣＲＣフィールド７２５は、ＡＣＫフレームのＣＲＣに対応する。テールフィールド７３０は、ＡＣＫフレームを復号するためにＰＨＹレイヤによって必要とされる情報に対応する。
【００６０】
[0075]図８は、図５の制御フレームに類似するフォーマットを有するＡＣＫフレームの別の例を示す。図示のように、ＡＣＫフレーム８００は、ＳＴＦフィールド８０５およびＬＴＦフィールド８１０と、ＳＩＧフィールド８１５と、ＳＥＲＶＩＣＥフィールド８２０と、ＦＣフィールド８２５と、ＦＣＳフィールド８３０とを備える。この実施形態では、制御情報は、ＡＣＫフレーム内に含まれていない。そうではなく、ＦＣＳフィールド８３０は、フレームがＡＣＫフレームであることを示すように修正され得る。詳細には、ＦＣＳフィールド８３０は、ＡＣＫフレーム８００のＣＲＣを含むのではなく、肯定応答されているフレームのＦＣＳのコピーを含み得る。ＡＣＫフレーム８００の受領体は、フレームが同じＦＣＳを有するフレームを送った場合、フレームはＡＣＫフレーム８００であるものと判断し得る。いくつかの態様では、フレームの送信機は、特定の時間間隔内にＡＣＫフレーム８００を期待し得、したがって、着信パケットがその時間間隔の間にコピーされたＦＣＳを有する場合にのみ、チェックし得る。さらに、いくつかの態様では、ＦＣフィールド８２５は、フレームがＡＣＫであるか否かを示すインジケータを含み得る。
【００６１】
[0076]図１４は、本明細書の教示によるＡＣＫフレーム１４００の別の例を示す。図示のように、ＡＣＫフレーム１４００は、４ビットのＭＣＳ（制御フレームのタイプを示す）と、１４ビットのＡＣＫ  ＩＤ（部分的ＦＣＳとスクランブラシードとから成り得る）と、５ビットの持続時間と、３または１５ビットの他のフィールドと、４ビットの巡回冗長チェックと、６ビットのテールとを含む。
【００６２】
[0077]いくつかの態様では、ワイヤレス通信の方法は、以下の、長さフィールド、巡回冗長チェックフィールド、および送信電力表示フィールドのうちの１つまたは複数と、アドレスフィールド、識別子フィールド、レート制御の表示フィールド、およびバッファされたデータの表示フィールドのうちの１つまたは複数とから本質的に成る制御情報を備える肯定応答フレームを生成することを備える。本方法は、肯定応答フレームを送信することをさらに備える。いくつかの態様では、アドレスフィールドは、グローバルアドレスまたはローカルアドレスの一方を含む。いくつかの態様では、アドレスフィールドは、肯定応答フレームの送信機または肯定応答フレームの受信機のアドレスの一方を含む。
【００６３】
[0078]いくつかの態様では、識別子フィールドは、肯定応答されているパケットのハッシュ、肯定応答されているパケットの巡回冗長チェック、トークン、または肯定応答されているパケットのシーケンス番号のうちの１つを含む。
【００６４】
[0079]いくつかの態様では、レート制御の表示フィールドは、変調コーディング方式を変化させる量を示す。いくつかの態様では、レート制御の表示フィールドは、変調コーディング方式を示す。
【００６５】
[0080]いくつかの態様では、肯定応答フレームは、少なくとも、肯定応答されているパケットのフレームチェックシーケンスに基づく情報を備える。いくつかの態様では、少なくともフレームチェックシーケンスに基づく情報は、フレームチェックシーケンスに基づく識別子と、以下、すなわち肯定応答されているパケットのサービスフィールドからのスクランブリングシードおよび肯定応答されているパケットからのシーケンス番号のうちの１つまたは複数とを備える。いくつかの態様では、情報は、肯定応答されているパケットのタイプに基づく。
【００６６】
[0081]いくつかの態様では、制御フレームの１つのタイプはＰＳ−ｐｏｌｌである。たとえば、ＳＴＡ  １０６ａは、ＡＰ  １０４がＳＴＡ  １０６ａに送るためのデータを有するかどうかを判断するために、ＡＰ  １０４にＰＳ−ｐｏｌｌを送り得る。一態様では、ＰＳ−ｐｏｌｌの制御情報は、すべてのタイプの制御フレームと、以下のフィールド、すなわちＰＳ−ｐｏｌｌの受信体のグローバルアドレス、ＰＳ−ｐｏｌｌの発信体のローカルアドレス、情報フィールド、およびトークン番号を示すフィールドのうちの１つまたは複数との中に含まれている、上記で説明したフィールドのうちの１つまたは複数から成るかまたは本質的に成ることができる。上記で説明したように、トークン番号は、ＰＳ−ｐｏｌｌの送信機によって（たとえば、アルゴリズムに従って）生成され得、送信機によって送られた各ＰＳ−ｐｏｌｌに対して異なる値を有し得る。ＰＳ−ｐｏｌｌの制御情報は、追加のフィールドを含まない。情報フィールドは、ＰＳ−ｐｏｌｌの発信体が受信したものの最新のビーコンバージョンを含み得、それにより、ＰＳ−ｐｏｌｌの受信体は、発信体のバージョンと実際のバージョンとを比較し得る。別の態様では、情報フィールドは、以下のＰＳ−ｐｏｌｌの送信機／受信機の１つまたは複数のグローバルアドレス、ＰＳ−ｐｏｌｌの送信機／受信機の１つまたは複数のローカルアドレス、ＰＳ−ｐｏｌｌの送信機／受信機のグローバルアドレスのうちの１つまたは複数の部分、ＰＳ−ｐｏｌｌの送信機／受信機のローカルアドレスのうちの１つまたは複数の部分、またはＰＳ−ｐｏｌｌが送られているトラフィック表示マップ（ＴＩＭ）を搬送するビーコンのスクランブラシード（またはスクランブラシードの一部分）のうちの１つまたは複数を、いずれかの組合せで含み得る。たとえば、情報フィールドは、ＡＰのＢＳＳＩＤとＳＴＡのＡＩＤとを任意の順序で含み得る。発信体のバージョンと実際のバージョンとの間に不整合が存在する場合、ＰＳ−ｐｏｌｌの受信体は、ＰＳ−ｐｏｌｌの発信体に新しい情報を送り得る。
【００６７】
[0082]いくつかの態様では、ＰＳ−ｐｏｌｌの制御情報は、識別子を含み得る。識別子の値は、ビーコン（たとえば、最新の受信ビーコン）またはＡＰ  １０４からＳＴＡ  １０６ａによって受信された他のページングフレーム内に含まれる対応する識別子（たとえば、スクランブラシード）と同じ値、またはそれから導出される値に設定され得る。識別子が存在するとき、ＰＳ−ｐｏｌｌの受信機アドレスは、識別子が、対象とする受信機を識別するので、フレームから省略されてよい。さらに、ＰＳ−Ｐｏｌｌは、ＰＳ−Ｐｏｌｌ識別子内にそれのＡＩＤの一部分（たとえば、それのＡＩＤの１１のＬＳＢ）を含み得る。さらに、ビーコンまたはページングメッセージの発信体は、任意の所与のビーコンに対して識別子を変えることができ、時間にわたってダイバーシティを提供する。
【００６８】
[0083]図１３は、４ビットのＭＣＳ（制御フレームのタイプを示す）と、７ビットの受信機アドレスと、１１ビットの送信機アドレスと、４または１６ビットの他のフィールドと、４ビットの巡回冗長チェックと、６ビットのテールとを含むＰＳ−ｐｏｌｌ制御フレーム１３００の一例を示す。
【００６９】
[0084]いくつかの態様では、ＰＳ−ｐｏｌｌフレームは、次のようにＡＣＫフレームと併せて使用され得る。ＳＴＡは、ＳＴＡが関連するＡＰを対象とするＰＳ−ｐｏｌｌを送り得る。ＰＳ−ｐｏｌｌを受領すると、ＡＰは、本明細書で説明するようなＡＣＫフレームで応答することができる。たとえば、ＡＣＫフレームは、上記で説明したＰＳ−ｐｏｌｌフレーム内に含まれるトークン番号に基づいて計算された識別子を含み得る。トークンは、ＰＳ−Ｐｏｌｌ識別子であってよい。応答においてトークン番号を使用することは、有利には、ＡＣＫの識別子が各ＰＳ−ｐｏｌｌに対して異なることを可能にし、それにより、複数のＡＣＫが同時にデバイスで受信された場合、複数のＡＣＫの間でデバイスを容易に区別することを可能にする。別の例では、ＡＣＫフレームは、以下のＰＳ−ｐｏｌｌの送信機／受信機の１つまたは複数のグローバルアドレス、ＰＳ−ｐｏｌｌの送信機／受信機の１つまたは複数のローカルアドレス、ＰＳ−ｐｏｌｌの送信機／受信機のグローバルアドレスのうちの１つまたは複数の部分、またはＰＳ−ｐｏｌｌからコピーされ得るＰＳ−ｐｏｌｌの送信機／受信機のローカルアドレスのうちの１つまたは複数の部分、のうちの１つまたは複数を、いずれかの組合せで含み得る。
【００７０】
[0085]いくつかの態様では、ワイヤレス通信の方法は、以下の、長さフィールド、巡回冗長チェックフィールド、および送信電力表示フィールドのうちの１つまたは複数と、宛先アドレスフィールド、送信機アドレスフィールド、および情報フィールドのうちの１つまたは複数とから本質的に成る制御情報を備える省電力ポーリングフレームを生成することを備える。本方法は、省電力ポーリングフレームを送信することをさらに備える。いくつかの態様では、情報フィールドはビーコンバージョンを含む。いくつかの態様では、宛先アドレスフィールドはグローバルアドレスを備え、送信機アドレスフィールドはローカルアドレスを備える。いくつかの態様では、情報フィールドは、受信されたビーコンに基づく識別子を含む。
【００７１】
[0086]いくつかの態様では、制御フレームの１つのタイプはＲＴＳである。一態様では、ＲＴＳの制御情報は、すべてのタイプの制御フレームと、以下のフィールド、すなわちＲＴＳの受信体のグローバルアドレス、ＲＴＳの発信体のローカルアドレス、および持続時間フィールドのうちの１つまたは複数との中に含まれている、上記で説明したフィールドのうちの１つまたは複数から成るかまたは本質的に成ることができる。ＲＴＳの制御情報は、追加のフィールドを含まない。いくつかの態様では、ＲＴＳは、追加または代替として、ｄＢでまたはクラス（たとえば、２ビットが送信電力の４つのクラスを示し得る）で表現され得る送信電力表示を（すべてのタイプの制御フレームに含まれている、上記で説明したフィールドのうちの１つまたは複数とともに）含み得る。さらに、ＲＴＳは、追加または代替として、帯域幅表示を（すべてのタイプの制御フレームに含まれている、上記で説明したフィールドのうちの１つまたは複数とともに）含み得る。一態様では、帯域幅表示は、２ＭＨｚ（またはそれ以上）の制御フレームに対してのみ存在し得る。持続時間フィールドは、ＲＴＳが通信チャネルを確保する持続時間を示し得る。一態様では、持続時間フィールドは、２バイト（またはそれ以下）で持続時間を示し得、持続時間をμｓで表現する。別の態様では、持続時間は、他の時間間隔における持続時間（たとえば、シンボルの数、４０μｓの倍数、タイムスロットの数など）で示し得る。一例として、９ビットの持続時間フィールド長を用いて４０μｓの倍数として表現されると、持続時間フィールドは、２０．５ｍｓまで示し得る。いくつかの態様では、時間間隔の長さはＡＰ  １０４によって宣言され、ビーコンなどの別のメッセージの中で、またはＳＴＡ  １０６ａへのアソシエーションの間に送られる。
【００７２】
[0087]いくつかの態様では、ワイヤレス通信の方法は、以下の、長さフィールド、巡回冗長チェックフィールド、および送信電力表示フィールドのうちの１つまたは複数と、宛先アドレスフィールド、送信機アドレスフィールド、および持続時間フィールドのうちの１つまたは複数とから本質的に成る制御情報を備える送信要求フレームを生成することを備える。本方法は、送信要求フレームを送信することをさらに備える。いくつかの態様では、宛先アドレスフィールドはグローバルアドレスを備え、送信機アドレスフィールドはローカルアドレスを備える。いくつかの態様では、持続時間フィールドは、シンボルの倍数で持続時間を表現する。
【００７３】
[0088]図１５は、４ビットのＭＣＳ（制御フレームのタイプを示す）と、１３ビットのＲＴＳ  ＩＤ（たとえば、受信機ＡＩＤ）と、９ビットの持続時間フィールドと、他のフィールドと、４ビットの巡回冗長チェックと、６ビットのテールとを含むＲＴＳ制御フレーム１５００の一例を示す。ＲＴＳ  １５００は、追加で、２ビットの帯域幅表示を含み得、および／または追加で、２ビットの送信電力クラスを含み得る。
【００７４】
[0089]いくつかの態様では、制御フレームの１つのタイプはＣＴＳである。一態様では、ＣＴＳの制御情報は、すべてのタイプの制御フレームと、以下のフィールド、すなわちＣＴＳが送られているＲＴＳの発信体のローカルアドレスおよび持続時間フィールドのうちの１つまたは複数との中に含まれている、上記で説明したフィールドのうちの１つまたは複数から成るかまたは本質的に成ることができる。ローカルアドレスおよび持続時間フィールドは、ＣＴＳが送られているＲＴＳからコピー（または導出）され得る。代替として、ＣＴＳは、ＲＴＳからコピーされたアドレスを含まず、代わりに、上記で説明したＡＣＫフレームに対するのと同様の方法で規定された識別子を含み得る。ＣＴＳの制御情報は、追加のフィールドを含まない。代替として、ＣＴＳは、ＲＴＳフレームに対して前述した追加のフィールドを含み得る。
【００７５】
[0090]図１６は、４ビットのＭＣＳ（制御フレームのタイプを示す）と、７ビットのＣＴＳ  ＩＤ（たとえば、部分的ｆｃｓおよびＲＴＳからのスクランブラシード情報ならびに／あるいはＣＴＳがＲＴＳ  ＩＤの本体および／またはコピー（または一部分）に送信される場合は送信機の部分的送信機アドレス）と、９ビットの持続時間フィールドと、６または１８ビットの他のフィールドと、４ビットの巡回冗長チェックと、６ビットのテールとを含むＣＴＳ制御フレーム１６００の一例を示す。ＣＴＳ  １６００は、追加で、２または３ビットの帯域幅表示を含み得、および／または追加で、２ビットの送信電力クラスを含み得る。
【００７６】
[0091]いくつかの態様では、ＣＴＳ制御フレーム１６００は、たとえば、高速リンク適応を実装するために使用され得る、データ送信に対して示唆されたＭＣＳを示す１つまたは複数のビットを含むＭＣＳフィールドをさらに含み得る。たとえば、第２のＳＴＡからＲＴＳフレームを受領すると、第１のＳＴＡは、ＣＴＳ制御フレーム１６００を送信し、第２のＳＴＡがそれに対する後続のデータ送信のために使用し得ることを示唆されたＭＣＳを第２のＳＴＡに示すために、フレーム１６００のＭＣＳフィールドを使用することができる。第２のＳＴＡは、後続のデータ送信のためのＭＣＳを選択するために、ＭＣＳフィールド内に示されるＭＣＳを選択し得る。
【００７７】
[0092]いくつかの態様では、ＭＣＳフィールドは、ＩＥＥＥ規格内のＭＣＳ定義に従ってＭＣＳインデックスを示し得る。いくつかの態様では、ＭＣＳフィールドは、所与の基準ＭＣＳに対してＭＣＳを増加または減少させることの表示を含む相対的ＭＣＳを含み得る。たとえば、基準ＭＣＳは、勧誘ＲＴＳの送信のために使用されるＭＣＳであってよい。別の例では、基準ＭＣＳは、勧誘ＲＴＳのフィールド内に明確に示されるＭＣＳであってよい。別の例では、基準ＭＣＳは、最後の成功裏のデータ送信の中で使用されるＭＣＳであってよい。いくつかの態様では、ＣＴＳは、ＣＴＳの発信体が、ＣＴＳの受領体に送達されるための準備ができた、バッファされたデータユニットまたはフレームを有することの表示をさらに含み得る。
【００７８】
[0093]いくつかの態様では、ＣＴＳ制御フレーム１６００のＭＣＳフィールドは、示唆されたＭＣＳを示すために２ビットを含み得る。たとえば、ビットの下記の組合せは、示唆されたＭＣＳを示すために使用され得る：
−  ００：ＲＴＳと同じＭＣＳ  
−  ０１：ＲＴＳ「＋１」のＭＣＳ  
−  １０：ＲＴＳ「＋２」のＭＣＳ  
−  １１：ＲＴＳ「＋３」のＭＣＳ
【００７９】
[0094]別の例として、ＲＴＳフレームがＭＣＳ２  ｒｅｐ２において送られる場合、
−  ００：ＭＣＳ０  ｒｅｐ２  
−  ０１：ＭＣＳ０  
−  １０：ＭＣＳ１  
−  １１：ＭＣＳ２
【００８０】
[0095]いくつかの態様では、ＣＴＳ制御フレーム１６００は、ＣＴＳはＲＴＳへの応答であるが、ＳＴＡへの送信機会（ＴＸＯＰ）を許可していないことを示すために使用される１ビットを含み得る。たとえば、ＣＴＳ制御フレーム１６００は、ＲＴＳが受信されたが、ネットワーク割り当てベクトル（ＮＡＶ）は設定されず、ＲＴＳの送信機はＣＴＳの後でデータを送ることの可能性を許可されないことを示し得る。いくつかの態様では、ＣＴＳ制御フレーム１６００がＴＸＯＰを許可していないことを、ＣＴＳ制御フレーム１６００が示す場合、ＣＴＳ制御フレーム１６００の持続時間フィールドは、ＮＡＶ持続時間を示すために使用されない。そのような態様では、持続時間フィールドは、ある時間の後にＳＴＡが別のＲＴＳフレームまたはデータを送ることを許可される、その時間を示すために使用され得る。
【００８１】
[0096]いくつかの態様では、ワイヤレス通信の方法は、以下の、長さフィールド、巡回冗長チェックフィールド、および送信電力表示フィールドのうちの１つまたは複数と、宛先アドレスフィールドおよび持続時間フィールドのうちの１つまたは複数とから本質的に成る制御情報を備える送信可フレームを生成することを備える。本方法は、送信可フレームを送信することをさらに備える。いくつかの態様では、送信可制御フレームは、制御情報を含む信号フィールドを有する物理レイヤプリアンブルを備える。
【００８２】
[0097]いくつかの態様では、制御フレームの１つのタイプはＢＡＲである。たとえば、ＳＴＡ  １０６ａは、別のＳＴＡにＢＡＲを送って、ＢＡを送るように他のＳＴＡに要求することができる。一態様では、ＢＡＲの制御情報は、すべてのタイプの制御フレームと、以下のフィールド、すなわちグローバルアドレス、ローカルアドレス、アドレス解釈フィールド、トラフィック識別子（ＴＩＤ）フィールド、および開始シーケンス番号フィールドのうちの１つまたは複数との中に含まれている、上記で説明したフィールドのうちの１つまたは複数から成るかまたは本質的に成ることができる。ＢＡＲの制御情報は、追加のフィールドを含まない。グローバルアドレスは、ＢＡＲの送信機またはＢＡＲの受信機のグローバルアドレスであってよい。ローカルアドレスは、グローバルアドレスがＢＡＲ内に含まれないＢＡＲの送信機およびＢＡＲの受信機の他方に対するローカルアドレスであってよい。アドレス解釈フィールドは、グローバルアドレスが送信機のアドレスでありローカルアドレスが受信機のアドレスであるかどうか、またはグローバルアドレスが受信機のアドレスでありローカルアドレスが送信機のアドレスであるかどうかを示す１または２ビットであってよい。ＢＡはＴＩＤごとに規定され、ＢＡが要求される開始ブロックのシーケンス番号が必要とされるので、これらの値がＢＡＲ内に含まれる。ＴＩＤは３ビットであってよく、開始シーケンス番号は１２ビットであってよい。いくつかの態様では、開始シーケンス番号は、開始シーケンス番号の最下位ビットまたは最上位ビットのうちの１つまたは複数など、部分的シーケンス番号であってよい。部分的シーケンス番号の長さは、Ｂｌｏｃｋ  ＡＣＫが肯定応答し得るＭＰＤＵの最大数に応じて決まることがある。一例として、６ビット長の部分的シーケンス番号は、６４のＭＰＤＵの複数のブロックを区別するのに十分である。いくつかの態様では、ＴＩＤはアクセスカテゴリーを識別し、各アクセスカテゴリーごとに、ＴＩＤは、２つのサブカテゴリーを識別し、合計８つのサブカテゴリーを識別する。他の態様では、アクセスカテゴリーの表示は十分である。いくつかの態様では、３ビットのＴＩＤの代わりに、制御フィールドが、２ビットのアクセスカテゴリーを含み得る。
【００８３】
[0098]別の態様では、ＢＡＲの制御情報は、すべてのタイプの制御フレームと、以下のフィールド、すなわちグローバルアドレス、第１のローカルアドレス、第２のローカルアドレス、トラフィック識別子（ＴＩＤ）フィールド、および開始シーケンス番号フィールドのうちの１つまたは複数との中に含まれている、上記で説明したフィールドのうちの１つまたは複数から成るかまたは本質的に成ることができる。ＢＡＲの制御情報は、追加のフィールドを含まない。グローバルアドレスは、送信機および受信機のＢＳＳＩＤを示し得る。第１および第２のローカルアドレスは、送信機および受信機のローカルアドレスであってよい。
【００８４】
[0099]別の態様では、ＢＡＲの制御情報は、すべてのタイプの制御フレームと、以下のフィールド、すなわち第１のグローバルアドレス、第２のグローバルアドレス、トラフィック識別子（ＴＩＤ）フィールド、および開始シーケンス番号フィールドのうちの１つまたは複数との中に含まれている、上記で説明したフィールドのうちの１つまたは複数から成るかまたは本質的に成ることができる。ＢＡＲの制御情報は、追加のフィールドを含まない。第１および第２のグローバルアドレスは、送信機および受信機のグローバルアドレスであってよい。
【００８５】
[00100]いくつかの態様では、ワイヤレス通信の方法は、以下の、長さフィールド、巡回冗長チェックフィールド、および送信電力表示フィールドのうちの１つまたは複数と、グローバルアドレスフィールド、ローカルアドレスフィールド、アドレス解釈フィールド、トラフィック識別子フィールド、および開始シーケンス番号フィールドのうちの１つまたは複数とから本質的に成る制御情報を備えるブロック肯定応答要求フレームを生成することを備える。本方法は、ブロック肯定応答要求フレームを送信することをさらに備える。
【００８６】
[00101]いくつかの態様では、制御フレームの１つのタイプはＢＡである。たとえば、ＳＴＡ  １０６ａは、複数のフレームの受領を肯定応答するためにＢＡを送り得る。一態様では、ＢＡの制御情報は、すべてのタイプの制御フレームと、以下のフィールド、すなわちグローバルアドレス、ローカルアドレス、アドレス解釈フィールド、トラフィック識別子（ＴＩＤ）フィールド、開始シーケンス番号フィールド、およびビットマップのうちの１つまたは複数との中に含まれている、上記で説明したフィールドのうちの１つまたは複数から成るかまたは本質的に成ることができる。ＢＡの制御情報は、追加のフィールドを含まない。グローバルアドレスは、ＢＡの送信機またはＢＡの受信機のグローバルアドレスであってよい。ローカルアドレスは、グローバルアドレスがＢＡ内に含まれないＢＡの送信機およびＢＡＲの受信機の他方に対するローカルアドレスであってよい。アドレス解釈フィールドは、グローバルアドレスが送信機のアドレスでありローカルアドレスが受信機のアドレスであるかどうか、またはグローバルアドレスが受信機のアドレスでありローカルアドレスが送信機のアドレスであるかどうかを示す１または２ビットであってよい。ＢＡはＴＩＤごとに規定され、ＢＡが要求される開始ブロックのシーケンス番号が必要とされるので、これらの値がＢＡ内に含まれる。ＴＩＤは３ビットであってよく、開始シーケンス番号は１２ビットであってよい。さらに、ビットマップは、たとえば、４、８、１６、３２または６４ビットであってよい。ビットマップの値は、どのフレームが成功裏に受信されたか、およびどのフレームが受信されなかったかを示し得る。いくつかの態様では、ＢＡＲの送信機は、特定の応答体から特定の時間間隔内にＢＡを期待し得るので、ＴＩＤ、シーケンス番号および受信機アドレスのいずれかが、ＢＡから排除されることがある。したがって、ＢＡが、その時間間隔内に送信機のアドレスとともに受信された場合、送信機は、ＢＡＲ内で送られたＴＩＤと開始シーケンス番号とを推定することができる。
【００８７】
[00102]別の態様では、ＢＡの制御情報は、すべてのタイプの制御フレームと、以下のフィールド、すなわちグローバルアドレス、第１のローカルアドレス、第２のローカルアドレス、トラフィック識別子（ＴＩＤ）フィールド、開始シーケンス番号フィールド、およびビットマップのうちの１つまたは複数との中に含まれている、上記で説明したフィールドのうちの１つまたは複数から成るかまたは本質的に成ることができる。ＢＡの制御情報は、追加のフィールドを含まない。グローバルアドレスは、送信機および受信機のＢＳＳＩＤを示し得る。第１および第２のローカルアドレスは、送信機および受信機のローカルアドレスであってよい。
【００８８】
[00103]別の態様では、ＢＡの制御情報は、すべてのタイプの制御フレームと、以下のフィールド、すなわち第１のグローバルアドレス、第２のグローバルアドレス、トラフィック識別子（ＴＩＤ）フィールド、開始シーケンス番号フィールド、およびビットマップのうちの１つまたは複数との中に含まれている、上記で説明したフィールドのうちの１つまたは複数から成るかまたは本質的に成ることができる。ＢＡの制御情報は、追加のフィールドを含まない。第１および第２のグローバルアドレスは、送信機および受信機のグローバルアドレスであってよい。
【００８９】
[00104]別の態様では、ＢＡの制御情報は、すべてのタイプの制御フレームと、以下のフィールド、すなわちビットマップおよびＢＡ識別子のうちの１つまたは複数との中に含まれている、上記で説明したフィールドのうちの１つまたは複数から成るかまたは本質的に成ることができる。ＢＡの制御情報は、追加のフィールドを含まない。ビットマップは、対応するパケットが正常に受信されたか、または受信されなかったかを示す２、４、８、１６、３２ビットマップであってよい。ビットマップの位置ｎにおけるビットは、ｎと、ＢＡの直前のＢＡＲフレーム内に示されるシーケンス番号との和に等しいシーケンス番号を有するパケットを指すことができる。いくつかの態様では、ＴＩＤまたはＡＣの値もまた、ＢＡＲの直前からの値であるものと推定される。識別子は、ＡＣＫ識別子に対して規定されたものと同じまたは同様の方法で規定され得る。
【００９０】
[00105]図１７は、本明細書の教示による、ＢＡフレーム１７００の一例を示す。図示のように、ＢＡフレーム１７００は、４ビットのＭＣＳ（制御フレームのタイプを示す）と、７ビットのブロックＡＣＫ  ＩＤ（たとえば、第１のＭＰＤＵまたはＢＡＲからのスクランブラシード）と、５ビットの開始シーケンス番号（ＳＳＮ）（たとえば、肯定応答された第１のＭＰＤＵのＳＳＮまたは肯定応答された第１のＭＰＤＵのＳＳＮの５ＬＳＢ）と、８ビットまたは１６ビットのビットマップと、他のフィールドと、４ビットの巡回冗長チェックと、６ビットのテールとを含む。いくつかの態様では、ＢＡフレーム１７００は、ＢＡがブロック肯定応答に対するものであるかまたは断片化された肯定応答に対するものであるかを示す、１ビットのＡＣＫモードフィールドを含み得る。いくつかの態様では、ＢＡフレーム１７００は、１ビットのドップラー表示フィールドを含み得る。
【００９１】
[00106]いくつかの態様では、ワイヤレス通信の方法は、以下の、長さフィールド、巡回冗長チェックフィールド、および送信電力表示フィールドのうちの１つまたは複数と、グローバルアドレスフィールド、ローカルアドレスフィールド、アドレス解釈フィールド、トラフィック識別子フィールド、開始シーケンス番号フィールドおよびビットマップのうちの１つまたは複数とから本質的に成る制御情報を備えるブロック肯定応答フレームを生成することを備える。本方法は、ブロック肯定応答フレームを送信することをさらに備える。
【００９２】
[00107]いくつかの態様では、制御フレームの１つのタイプはＣＦ−ｅｎｄである。ＣＦ−ｅｎｄは、ネットワーク割り当てベクトル（ＮＡＶ）に応答してなされた予約をキャンセルするために使用され得る。一態様では、ＣＦ−ｅｎｄの制御情報は、タイプフィールドから成るかまたは本質的に成ることができる。ＣＦ−ｅｎｄの制御情報は、追加のフィールドを含まない。ＣＦ−ｅｎｄを示すタイプフィールドを受信する任意の受信機は、次いで、いずれかのＮＡＶがキャンセルされるべきかを判断することができる。別の態様では、ＣＦ−ｅｎｄの制御情報は、タイプフィールドと、すべてのタイプの制御フレームの中に含まれている、上記で説明した他のフィールドのうちの１つまたは複数とから成るかまたは本質的に成ることができる。ＣＦ−ｅｎｄの制御情報は、追加のフィールドを含まない。
【００９３】
[00108]いくつかの態様では、ワイヤレス通信の方法は、タイプフィールドから本質的に成る制御情報を備えるコンテンションフリー終了フレームを生成することを備える。本方法は、コンテンションフリー終了フレームを送信することをさらに備える。
【００９４】
[00109]いくつかの態様では、制御フレームの１つのタイプはＣＦ−ｅｎｄポーリングである。ＣＦ−ｅｎｄポーリングは、それ自体を、ＣＦ−ｅｎｄポーリングの送信機の送信範囲内でネットワーク割り当てベクトル（ＮＡＶ）に応答してなされた予約をキャンセルし、さらにＣＦ−ｅｎｄポーリングの受信機の送信範囲内で予約をキャンセルするためにＣＦ−ｅｎｄを送信することを、ＣＦ−ｅｎｄポーリングの受信機に要求するために使用され得る。一態様では、ＣＦ−ｅｎｄポーリングの制御情報は、ＣＦ−ｅｎｄポーリングの受信機のグローバルアドレスと、タイプフィールドのすべてのタイプの制御フレームの中に含まれている、上記で説明したフィールドのうちの１つまたは複数とを備え得る。別の態様では、ＣＦ−ｅｎｄポーリングの制御情報は、ＣＦ−ｅｎｄポーリングの受信機のグローバルアドレスと、タイプフィールドのすべてのタイプの制御フレームの中に含まれている、上記で説明したフィールドのうちの１つまたは複数とから成るかまたは本質的に成ることができる。別の態様では、ＣＦ−ｅｎｄポーリングの制御情報は、ＣＦ−ｅｎｄポーリングの受信機のグローバルアドレスと、フレームがＣＦ−ｅｎｄポーリングであることを示すタイプフィールドとから成るかまたは本質的に成ることができる。
【００９５】
[00110]いくつかの態様では、ワイヤレス通信の方法は、以下の、長さフィールド、巡回冗長チェックフィールド、および送信電力表示フィールドのうちの１つまたは複数と、受領体のグローバルアドレスフィールドとから本質的に成る制御情報を備えるコンテンションフリー終了ポーリングフレームを生成することを備える。本方法は、コンテンションフリー終了ポーリングフレームを送信することをさらに備える。
【００９６】
[00111]いくつかの態様では、制御フレームの１つのタイプはＭＣＳ要求である。たとえば、ＡＰ  １０４は、送信のためにどのＭＣＳを使用するかについての情報をＳＴＡ  １０６ａから要求するために、ＳＴＡ  １０６ａにＭＣＳ要求を送り得る。一態様では、ＭＣＳ要求の制御情報は、すべてのタイプの制御フレームと、以下のフィールド、すなわちＭＣＳ要求の受信体のグローバルアドレス、およびＭＣＳ要求の発信体のローカルアドレスのうちの１つまたは複数との中に含まれている、上記で説明したフィールドのうちの１つまたは複数から成るかまたは本質的に成ることができる。ＭＣＳ要求の制御情報は、追加のフィールドを含まない。
【００９７】
[00112]いくつかの態様では、ワイヤレス通信の方法は、以下の、長さフィールド、巡回冗長チェックフィールド、および送信電力表示フィールドのうちの１つまたは複数と、受領体のグローバルアドレスフィールドおよび送信機のローカルアドレスフィールドのうちの１つまたは複数とから本質的に成る制御情報を備える変調コーディング方式要求フレームを生成することを備える。本方法は、変調コーディング方式要求フレームを送信することをさらに備える。
【００９８】
[00113]いくつかの態様では、制御フレームの１つのタイプはＭＣＳ応答である。たとえば、ＡＰ  １０４は、送信のためにどのＭＣＳを使用するかについての情報をＳＴＡ  １０６ａから要求するために、ＳＴＡ  １０６ａにＭＣＳ要求を送り得る。返答として、ＳＴＡ  １０６ａは、ＭＣＳ応答内でそのような情報を送り得る。一態様では、ＭＣＳ応答の制御情報は、すべてのタイプの制御フレームと、以下のフィールド、すなわちＭＣＳ応答がＭＣＳ要求からコピーされて送られるＭＣＳ要求の発信体のローカルアドレス、ＭＣＳフィールド（たとえば、４ビット）、および追加情報（たとえば、信号対雑音比（ＳＮＲ））のうちの１つまたは複数との中に含まれている、上記で説明したフィールドのうちの１つまたは複数から成るかまたは本質的に成ることができる。ＭＣＳ応答の制御情報は、追加のフィールドを含まない。
【００９９】
[00114]いくつかの態様では、ワイヤレス通信の方法は、以下の、長さフィールド、巡回冗長チェックフィールド、および送信電力表示フィールドのうちの１つまたは複数と、受領体のローカルアドレスフィールド、変調コーディング方式フィールド、および情報フィールドのうちの１つまたは複数とから本質的に成る制御情報を備える変調コーディング方式応答フレームを生成することを備える。本方法は、変調コーディング方式応答フレームを送信することをさらに備える。
【０１００】
[00115]いくつかの態様では、制御フレームの１つのタイプはＮＤＰである。たとえば、ＡＰ  １０４は、ＳＴＡ  １０６ａがＮＤＰを使用してチャネル推定を実行することを可能にするために、ＳＴＡ  １０６ａにＮＤＰを送り得る。一態様では、ＮＤＰの制御情報は、すべてのタイプの制御フレームと、以下のフィールド、すなわちチャネル推定のための空間ストリームの数、およびその帯域幅にわたって推定するチャネル帯域幅のうちの１つまたは複数との中に含まれている、上記で説明したフィールドのうちの１つまたは複数から成るかまたは本質的に成ることができる。ＮＤＰの制御情報は、追加のフィールドを含まない。
【０１０１】
[00116]いくつかの態様では、ワイヤレス通信の方法は、以下の、長さフィールド、巡回冗長チェックフィールド、および送信電力表示フィールドのうちの１つまたは複数と、空間ストリームの数フィールドおよびチャネル帯域幅フィールドのうちの１つまたは複数とから本質的に成る制御情報を備えるヌルデータパケットフレームを生成することを備える。本方法は、ヌルデータパケットフレームを送信することをさらに備える。
【０１０２】
[00117]いくつかの態様では、制御フレームの１つのタイプはプローブ要求である。たとえば、ＡＰを探索するＳＴＡ  １０６ａは、ＡＰ  １０４が応答するプローブ要求を送り得る。一態様では、プローブ要求の制御情報は、すべてのタイプの制御フレームと、以下のフィールド、すなわちプローブ要求の送信機のグローバルアドレスおよびサービスセット識別子（ＳＳＩＤ）フィールドのうちの１つまたは複数との中に含まれている、上記で説明したフィールドのうちの１つまたは複数から成るかまたは本質的に成ることができる。プローブ要求の制御情報は、追加のフィールドを含み得ない。ＳＳＩＤフィールドは、ＳＴＡ  １０６ａが探索しているＳＳＩＤまたはＳＳＩＤのハッシュを含み得る。ＳＳＩＤのハッシュは、たとえば、フルＳＳＩＤの一部分またはフルＣＲＣに基づいて計算されるＣＲＣを表す４バイトであってよい。さらに、ＳＳＩＤフィールドは含まれず、したがって、プローブ要求を受信する任意のＡＰが応答してよい。
【０１０３】
[00118]いくつかの態様では、ワイヤレス通信の方法は、以下の、長さフィールド、巡回冗長チェックフィールド、および送信電力表示フィールドのうちの１つまたは複数と、送信機のグローバルアドレスフィールドおよび受信機のサービスセット識別子フィールドのうちの１つまたは複数とから本質的に成る制御情報を備えるプローブ要求フレームを生成することを備える。本方法は、プローブ要求フレームを送信することをさらに備える。
【０１０４】
[00119]いくつかの態様では、制御フレームの１つのタイプはプローブ応答である。たとえば、ＡＰを探索するＳＴＡ  １０６ａは、ＡＰ  １０４がプローブ応答で応答するプローブ要求を送り得る。一態様では、プローブ応答の制御情報は、すべてのタイプの制御フレームと、以下のフィールド、すなわちプローブ応答の送信機のグローバルアドレス、プローブ応答の受信機のグローバルアドレス、およびサービスセット識別子（ＳＳＩＤ）フィールドのうちの１つまたは複数との中に含まれている、上記で説明したフィールドのうちの１つまたは複数から成るかまたは本質的に成ることができる。プローブ応答の制御情報は、追加のフィールドを含み得ない。ＳＳＩＤフィールドは、プローブ応答を送るＡＰのＳＳＩＤまたはＳＳＩＤのハッシュを含み得る。さらに、プローブ要求の送信機は特定の時間間隔内にプローブ応答を期待し得るので、たとえば、プローブ要求がＳＳＩＤを含む場合、ＳＳＩＤフィールドは含まれ得ない。したがって、プローブ応答が、プローブ要求の送信機のアドレスとともにその時間間隔内に受信される場合、送信機は、ＳＳＩＤがプローブ要求内で送られたものと推定することができる。
【０１０５】
[00120]いくつかの態様では、ワイヤレス通信の方法は、以下の、長さフィールド、巡回冗長チェックフィールド、および送信電力表示フィールドのうちの１つまたは複数と、送信機のグローバルアドレスフィールド、受信機のグローバルアドレスフィールド、および送信機のサービスセット識別子フィールドのうちの１つまたは複数とから本質的に成る制御情報を備えるプローブ応答フレームを生成することを備える。本方法は、プローブ応答フレームを送信することをさらに備える。
【０１０６】
[00121]図９は、制御フレームを生成し、送信するための例示的な方法９００の一態様のフローチャートを示す。方法９００は、上記で説明した制御フレームのいずれかを生成し、送信するために使用され得る。制御フレームは、生成され得るか、または１つのワイヤレスデバイス２０２から別のワイヤレスデバイスに送信され得る。方法９００についてワイヤレスデバイス２０２（図２）の要素に関して以下で説明するが、本明細書で説明するステップのうちの１つまたは複数を実装するために他の構成要素が使用され得ることを当業者は諒解されよう。ブロックについてある順序で行われるものとして説明することがあるが、ブロックは並べ替えられ得、ブロックは省略され得、および／または追加のブロックが追加され得る。
【０１０７】
[00122]最初に、ブロック９０２で、プロセッサ２０４および／またはＤＳＰ  ２２０は、制御フレームのコンテンツに基づいて制御フレームを生成する。次いで、ブロック９０４で、送信機２１０が、制御フレームを送信する。
【０１０８】
[00123]図１０は、ワイヤレス通信システム１００内で採用され得る例示的なワイヤレスデバイス１０００の機能ブロック図である。デバイス１０００は、ワイヤレス送信のための制御フレームを生成するための生成モジュール１００２を備える。生成モジュール１００２は、図９に示すブロック９０２関して上述した機能のうちの１つまたは複数を実行するように構成され得る。生成モジュール１００２は、プロセッサ２０４およびＤＳＰ  ２２０のうちの１つまたは複数に対応し得る。デバイス１０００は、データユニットをワイヤレス送信するための送信モジュール１００４をさらに備える。送信モジュール１００４は、図９に示すブロック９０４関して上述した機能のうちの１つまたは複数を実行するように構成され得る。送信モジュール１００４は送信機２１０に対応し得る。
【０１０９】
[00124]図１１は、制御フレームを受信し、処理するための例示的な方法１１００の一態様のフローチャートを示す。方法１１００は、上記で説明した制御フレームのいずれかを受信し、処理するために使用され得る。制御フレームは、任意のワイヤレスデバイス２０２において受信され、処理され得る。方法１１００についてワイヤレスデバイス２０２（図２）の要素に関して以下で説明するが、本明細書で説明するステップのうちの１つまたは複数を実装するために他の構成要素が使用され得ることを当業者は理解されよう。ブロックについてある順序で行われるものとして説明することがあるが、ブロックは並べ替えられ得、ブロックは省略され得、および／または追加のブロックが追加され得る。
【０１１０】
[00125]最初に、ブロック１１０２で、受信機２１２は制御フレームを受信する。次いで、ブロック１１０４で、プロセッサ２０４および／またはＤＳＰ  ２２０は、制御フレームのコンテンツに基づいて制御フレームを処理する。
【０１１１】
[00126]図１２は、ワイヤレス通信システム１００内で採用され得る例示的なワイヤレスデバイス１２００の機能ブロック図である。デバイス１２００は、制御フレームを受信するための受信モジュール１００２を備える。受信モジュール１２０２は、図１１に示すブロック１１０２に関して上記で説明した機能のうちの１つまたは複数を実行するように構成され得る。受信モジュール１２０２は受信機２１２に対応し得る。デバイス１２００は、制御フレームを処理するための処理モジュール１２０４をさらに備える。送信モジュール１２０４は、図１１に示すブロック１１０４関して上述した機能のうちの１つまたは複数を実行するように構成され得る。処理モジュール１２０４は、プロセッサ２０４およびＤＳＰ  ２２０のうちの１つまたは複数に対応し得る。
【０１１２】
[00127]本明細書で使用する「判断」という用語は、多種多様なアクションを包含する。たとえば、「判断」は、計算、算出、処理、導出、調査、探索（たとえば、テーブル、データベースまたは別のデータ構造での探索）、確認などを含み得る。また、「判断」は、受信（たとえば、情報を受信すること）、アクセス（たとえば、メモリ中のデータにアクセスすること）などを含むことができる。また、「判断」は、解決、選択、選出、確立などを含むことができる。さらに、本明細書で使用する「チャネル幅」は、いくつかの態様では帯域幅を包含することがあるか、または帯域幅と呼ばれることもある。
【０１１３】
[00128]本明細書で使用する、項目のリスト「のうちの少なくとも１つ」を指す句は、単一のメンバーを含む、それらの項目の任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃを含むものとする。
【０１１４】
[00129]上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。一般に、図に示すどの動作も、その動作を実行することが可能な対応する機能的手段によって実行され得る。
【０１１５】
[00130]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１１６】
[00131]１つまたは複数の態様では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含めるべきである。
【０１１７】
[00132]本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１１８】
[00133]説明した機能は、ハードウェア、ソフトウェア、ファームウェア、またはそれらの組合せで実装できる。ソフトウェアで実装した場合、機能は１つまたは複数の命令としてコンピュータ可読媒体上に記憶され得る。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用されているような、「ｄｉｓｋ」と「ｄｉｓｃ」（両方とも日本語ではディスク）は、コンパクトディスク（ＣＤ）、レーザーディスク、光ディスク、デジタル多用途ディスク（ＤＶＤ）、フロッピー（登録商標）ディスク、およびＢｌｕ−ｒａｙ（登録商標）ディスクを含み、「ｄｉｓｋ」は通常磁気的にデータを再現し、「ｄｉｓｃ」はレーザーを使って光学的にデータを再現する。
【０１１９】
[00134]したがって、いくつかの態様は、本明細書で提示した動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１２０】
[00135]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１２１】
[00136]さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、本明細書で説明した方法を実行するための手段の転送を可能にするために、そのようなデバイスをサーバに結合し得る。代替的に、本明細書で説明される様々な方法は、ユーザ端末および／または基地局がストレージ手段をデバイスに結合するかまたは与えると様々な方法を得ることができ得るように、ストレージ手段（たとえば、ＲＡＭ、ＲＯＭ、コンパクトディスク（ＣＤ）またはフロッピーディスクなど物理記憶媒体など）によって提供し得る。さらに、本明細書で説明する方法および技法をデバイスに与えるための任意の他の適切な技法を利用し得る。
【０１２２】
[00137]特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
【０１２３】
[00138]上記は本開示の態様を対象とするが、本開示の他の態様およびさらなる態様は、それらの基本的範囲から逸脱することなく考案され得、それらの範囲は以下の特許請求の範囲によって判断される。
【図１】
2015505437.tif 000003
【図２】
2015505437.tif 000004
【図３】
2015505437.tif 000005
【図４】
2015505437.tif 000006
【図５】
2015505437.tif 000007
【図６】
2015505437.tif 000008
【図７】
2015505437.tif 000009
【図８】
2015505437.tif 000010
【図９】
2015505437.tif 000011
【図１０】
2015505437.tif 000012
【図１１】
2015505437.tif 000013
【図１２】
2015505437.tif 000014
【図１３】
2015505437.tif 000015
【図１４】
2015505437.tif 000016
【図１５】
2015505437.tif 000017
【図１６】
2015505437.tif 000018
【図１７】
2015505437.tif 000019
【国際調査報告】
2015505437.tif 000020
2015505437.tif 000021
2015505437.tif 000022